(57)【要約】【課題】データ処理を行うデータ処理装置親機における、該データ処理に関する状態の変化を、このデータ処理装置親機を利用するユーザの近傍にあるデータ処理装置子機から通知させることができる通信システムを提供する。【解決手段】ファクシミリ装置親機２と、このファクシミリ装置親機２におけるデータの送受信に関する状態の変化を通知する音声を出力するためのスピーカ３４を備えたファクシミリ装置子機３とを有するファクシミリ装置１である。ファクシミリ装置１は、ユーザを識別するための、識別情報を記憶したＲＦＩＤタグを検出するＲＦＩＤタグリーダ３２と、状態の変化を検知する状態検出部４１と、状態の変化が検知されると、ＲＦＩＤタグリーダ３２のＲＦＩＤタグの検出結果に応じて、ファクシミリ装置子機３のスピーカ３４より音声を出力させるか否か決定する通知決定部４３とを備える。【選択図】図１
2009111535.tif 000002
【特許請求の範囲】
【請求項１】
データを処理するためのデータ処理部を備えたデータ処理装置親機と、該データ処理装置親機と通信可能に接続され、このデータ処理装置親機におけるデータの処理状態の変化を通知する通知情報を出力するための出力手段を備えたデータ処理装置子機と、を有する通信システムであって、
上記データ処理装置親機は、上記データ処理部により実行されたデータ処理に関する状態の変化を検知する検知手段をさらに備えており、
上記データ処理装置親機を利用するユーザを識別するための識別情報を記憶し、該ユーザとともに移動する移動記憶装置が、上記データ処理装置子機の設置位置からの所定範囲に存在するか否かを検出する第１移動記憶装置検出部と、
上記検知手段によって上記状態の変化が検知されると、上記第１移動記憶装置検出部による移動記憶装置の検出結果に応じて、上記出力手段により上記通知情報を出力させるか否かを決定する決定手段と、を備えることを特徴とする通信システム。
【請求項２】
上記第１移動記憶装置検出部による上記検出結果が、上記移動記憶装置の存在の検出を示すものである場合、
上記決定手段は、上記出力手段により上記通知情報を出力させると決定するとともに、この出力手段に対して、上記通知情報を出力するよう指示する出力指示情報を送信することを特徴とする請求項１に記載の通信システム。
【請求項３】
上記第１移動記憶装置検出部による上記検出結果が、上記移動記憶装置の存在の検出を示すものである場合、
上記決定手段は、上記出力手段により上記通知情報を出力させると決定するとともに、出力させる通知情報を、この出力手段に送信することを特徴とする請求項１に記載の通信システム。
【請求項４】
上記出力手段により出力する上記通知情報は、音声情報であることを特徴とする請求項２または３に記載の通信システム。
【請求項５】
上記出力手段により出力する上記通知情報は、文字情報であることを特徴とする請求項２または３に記載の通信システム。
【請求項６】
上記データ処理装置親機によって処理されるデータ処理とは、他のデータ処理装置との間でのデータの送受信処理であって、
上記検知手段は、他のデータ処理装置との間でのデータの送受信処理に関する、データ処理装置親機における状態の変化を検知しており、
上記第１移動記憶装置検出部が、検出した移動記憶装置から上記識別情報を取得しており、
上記検知手段が上記状態の変化を検知すると、
上記決定手段は、上記第１移動記憶装置検出部が上記移動記憶装置から取得した上記識別情報に基づき、上記出力手段により上記通知情報を出力させるか否かを決定することを特徴とする請求項１〜５のいずれか１項に記載の通信システム。
【請求項７】
上記識別情報には、上記状態が変化した際のデータの送受信相手である他のデータ処理装置のうち、上記出力手段により通知情報を出力すべき他のデータ処理装置を特定するための特定情報が含まれており、
上記第１移動記憶装置検出部により上記移動記憶装置から取得された上記識別情報に含まれる特定情報が、上記検知手段により状態の変化が検知された、データの送受信処理における上記他のデータ処理装置を示すものである場合、上記決定手段は、上記出力手段により上記通知情報を出力させることを決定することを特徴とする請求項６に記載の通信システム。
【請求項８】
上記識別情報には、上記状態が変化した際のデータの送受信相手である他のデータ処理装置のうち、上記出力手段により通知情報を出力すべきではない他のデータ処理装置を特定するための特定情報が含まれており、
上記第１移動記憶装置検出部により上記移動記憶装置から取得された上記識別情報に含まれる特定情報が、上記検知手段により状態の変化が検知された、データの送受信処理における上記他のデータ処理装置を示すものでない場合、上記決定手段は、上記出力手段により上記通知情報を出力させると決定することを特徴とする請求項６に記載の通信システム。
【請求項９】
上記識別情報には、上記他のデータ処理装置から送信されるデータの送信先として、当該移動記憶装置を保持するユーザに割り当てた送信先情報が含まれており、
上記第１移動記憶装置検出部により上記移動記憶装置から取得された上記識別情報に含まれる送信先情報が、上記データの送受信処理においてデータの送信元となる他のデータ処理装置から、該データの送信先として通知された情報と一致する場合、上記決定手段は、上記出力手段により上記通知情報を出力させると決定することを特徴とする請求項６に記載の通信システム。
【請求項１０】
上記データ処理装置子機を複数備え、各データ処理装置子機は、上記第１移動記憶装置検出部をそれぞれ有しており、
上記決定手段は、上記第１移動記憶装置検出部によって移動記憶装置を検出したデータ処理装置子機の出力手段により、上記通知情報を出力させることを決定することを特徴とする請求項１〜９のいずれか1項に記載の通信システム。
【請求項１１】
上記検知手段によって上記状態の変化が検知されると、上記第１移動記憶装置検出部に上記移動記憶装置の検出を指示する検出指示手段をさらに備え、
上記検出指示手段による移動記憶装置の検出の指示に応じて、上記第１移動記憶装置検出部が、上記データ処理装置子機の設置位置からの所定範囲に移動記憶装置が存在するか否かを検出することを特徴とする請求項１〜１０のいずれか１項に記載の通信システム。
【請求項１２】
上記第１移動記憶装置検出部は、移動記憶装置が上記データ処理装置子機の設置位置からの所定範囲に存在するか否か定期的に検出することを特徴とする請求項１〜１０のいずれか１項に記載の通信システム。
【請求項１３】
上記第１移動記憶装置検出部は、移動記憶装置が上記データ処理装置子機の設置位置からの所定範囲に存在するか否か常時検出することを特徴とする請求項１〜１０のいずれか１項に記載の通信システム。
【請求項１４】
データ処理装置親機に対する操作時におけるユーザの移動範囲である、操作位置範囲に、上記移動記憶装置が存在するか否かを検出し、該移動記憶装置から上記識別情報を取得する第２移動記憶装置検出部と、
上記データ処理装置親機に対して上記ユーザにより入力されたデータ処理の実行指示を受けつける受付け部と、
上記第２移動記憶装置検出部によって取得された識別情報と、上記受付け部によって受けつけたデータ処理の実行指示により実行したデータ処理とを対応付けたユーザ管理情報を記憶するユーザ管理情報記憶装置とを備え、
上記検知手段によって上記データの処理状態の変化が検知されると、
上記決定手段が、上記ユーザ管理情報記憶装置に記憶したユーザ管理情報と、上記第１移動記憶装置検出部による移動記憶装置の検出結果とに基づき、上記状態の変化が検知されたデータ処理の実行を指示したユーザの識別情報と、上記第１移動記憶装置検出部によって検出された移動記憶装置を所持するユーザの識別情報とが一致するか否か確認し、上記識別情報が一致する場合、上記データ処理装置子機の出力手段により上記通知情報を出力させると決定することを特徴とする請求項１〜１３のいずれか１項に記載の通信システム。
【請求項１５】
上記検知手段によって上記状態の変化が検知された際に、上記出力手段により上記通知情報を出力させないと決定した場合、上記決定手段が、該通知情報が未通知であるとして記憶するための通知情報履歴記憶装置を備えることを特徴とする請求項１〜１４のいずれか１項に記載の通信システム。
【請求項１６】
上記第１移動記憶装置検出部によって上記移動記憶装置から取得した識別情報に基づき、上記決定手段は、上記通知情報履歴記憶装置に記憶されて未通知だった通知情報を上記出力手段により出力させるように決定することを特徴とする請求項１５に記載の通信システム。
【請求項１７】
当該データ処理装置親機におけるデータ処理の処理状態の変化を通知する通知情報を出力するデータ処理装置子機と通信可能に接続されたデータ処理装置親機であって、
データを処理するためのデータ処理部と、
上記データ処理部により実行されたデータ処理に関する状態の変化を検知する検知手段と、
当該データ処理装置親機を利用するユーザを識別するための識別情報を記憶し、該ユーザとともに移動する移動記憶装置が、上記データ処理装置子機の設置位置からの所定範囲に存在するか否かを検出する第１移動記憶装置検出部と、
上記検知手段によって上記状態の変化が検知されると、上記第１移動記憶装置検出部による移動記憶装置の検出結果に応じて、上記データ処理装置子機により上記通知情報を出力させるか否かを決定する決定手段と、を備えることを特徴とするデータ処理装置親機。
【請求項１８】
データを処理するためのデータ処理装置親機と通信可能に接続され、このデータ処理装置親機におけるデータの処理状態の変化を通知する通知情報を出力するための出力手段を備えたデータ処理装置子機であって、
上記データ処理装置親機を利用するユーザを識別するための識別情報を記憶し、該ユーザとともに移動する移動記憶装置が、当該データ処理装置子機の設置位置からの所定範囲に存在するか否かを検出する第１移動記憶装置検出部と、
上記データ処理装置親機において上記データの処理状態の変化が検知されると、上記第１移動記憶装置検出部による移動記憶装置の検出結果に応じて、上記通知情報を出力させるか否かを決定する決定手段と、を備えることを特徴とするデータ処理装置子機。
【請求項１９】
データを処理するデータ処理装置親機と、該データ処理装置親機と通信可能に接続され、このデータ処理装置親機におけるデータの処理状態の変化を通知する通知情報を出力するための出力手段を備えたデータ処理装置子機とを有する通信システムを制御する制御方法において、
データ処理装置親機におけるデータ処理に関する状態の変化を検知する第１ステップと、
上記データ処理装置親機を利用するユーザを識別するための、識別情報を記憶し、該ユーザとともに移動する移動記憶装置が、上記データ処理装置子機の設置位置からの所定範囲に存在するか否かを検出する第２ステップと、
上記第１ステップにおいて上記状態の変化が検知されると、上記第２ステップにおける移動記憶装置の検出結果に応じて、上記データ処理装置子機の出力手段により上記通知情報を出力させるか否かを決定する第３ステップと、を含むことを特徴とする通信システムの制御方法。
【請求項２０】
請求項１から１６のいずれか１項に記載の通信システムを動作させる通信システムの制御プログラムであって、コンピュータを上記の各手段として機能させるための通信システムの制御プログラム。
【請求項２１】
請求項２０に記載の通信システムの制御プログラムを記録したコンピュータ読み取り可能な記録媒体。
【発明の詳細な説明】
【技術分野】
【０００１】
本発明は、データを処理するデータ処理装置親機と、該データ処理装置親機と通信可能に接続され、このデータ処理装置親機におけるデータの処理状態を示す情報を出力するデータ処理装置子機とを有する通信システムに関するものである。
【背景技術】
【０００２】
近年、画像データ、文字データ、および音声データ等の各種データの送受信を他の装置と行うことができる通信装置が開発されている。このような通信装置としては、例えば、公衆回線網を通じて通信キャリアの交換機を介して他の装置と画像データ等を送受信できるファクシミリ装置が挙げられる。
【０００３】
さらにまた、上記ファクシミリ装置では、他の装置と画像データの送受信を行うファクシミリ装置本体（親機）と、該ファクシミリ装置本体と無線によりデータの送受信を行うことができる子機とを備えたものも開発されている。
【０００４】
例えば、特許文献１では、親機と子機とを備えたファクシミリ装置において、他の装置とのデータの送受信の完了時に、該完了を示す報知を、子機を介して出力する技術が開示されている。
【０００５】
この特許文献１の技術によれば、上記他の装置へのデータ送信に際しては、ユーザが常時親機周辺にいる必要がなくなる。一方、他の端末装置からのデータ受信に際しては、子機にてデータ受信が行われた旨を直ちに確認することができる。
【０００６】
さらにまた、特許文献２、３では、相手先の電話番号を予め記憶させておき、親機が他の端末装置からデータを受信した場合、当該他の端末装置の電話番号を検出し、検出した電話番号と予め記憶させた電話番号とが一致した場合にのみ、親機によるデータ受信が完了した旨を子機に報知するファクシミリ装置が開示されている。
【０００７】
特許文献２に開示されているファクシミリ装置は、本体において、端末番号記憶部に予め相手側端末装置の端末番号を記憶させておく。本体は、ファクシミリを受信したときに、プロトコルに従って送信されてくる相手側端末番号を検出し、上記端末番号記憶部に記憶されている端末番号と比較する。番号が一致すると、本体は子機に駆動指示信号を出力する。これにより、本体から離れた場所であっても子機を所持することにより、ユーザは、本体においてファクシミリを受信したことを知ることができる。
【０００８】
また、特許文献３に開示されているファクシミリ装置は、ファクシミリ受信を行った際、相手先の電話番号とファクシミリ受信したファクシミリの電話番号とが一致した場合に、コードレス子機番号格納手段に格納された識別番号のコードレス子機を呼び出す。そして、ファクシミリ受信したことをその識別番号のコードレス子機に通知するファクシミリ装置が開示されている。これにより、特定の相手先からファクシミリデータを受信したことを、予め指定された特定の子機のみに対して通知することができ、かつファクシミリの受信待機並びにファクシミリ受信の確認を子機側で簡単に行うことができる。また、複数の電話機が配置されており、着呼時に、ユーザの近傍に存在する電話機のみを報知させる技術も開発されている（例えば特許文献４・５）。
【特許文献１】特開平３−２８９２６２号公報（１９９１年１２月１９日公開）
【特許文献２】特開平４−３１７２５５号公報（１９９２年１１月９日公開）
【特許文献３】特開平１０−２４８００７号公報（１９９８年９月１４日公開）
【特許文献４】特開平９−３２１８７７号公報（１９９７年１２月１２日公開）
【特許文献５】特開２００４−２８９２７３号公報（２００４年１０月１４日公開）
【発明の開示】
【発明が解決しようとする課題】
【０００９】
しかしながら、上記従来の構成では、他の装置との間でのデータの送受信などの、データ処理を実行する親機と、該親機と通信可能に接続された子機とを備えた通信システムにおいて、当該通信システムを利用するユーザの近傍に存在する子機のみを介して、親機におけるデータ処理に関する状態の変化を通知することができないという問題を生じる。
【００１０】
より具体的には、上記特許文献１〜３に開示されている技術ではいずれも、上記ユーザの近傍にある子機のみを選択し、該子機を介してデータの処理に関する状態の変化を通知することはできない。
【００１１】
つまり、特許文献１〜３に開示されている技術では、子機が複数ある場合、親機における上記状態の変化の通知を、すべての子機を介して行うこととなり、例えばユーザが近傍に存在しない子機等、通知を行う必要がない子機にまで通知を行うこととなる。
【００１２】
また、特許文献４、５は、他の装置との間でデータの送受信を行う親機におけるデータ処理に関する状態の変化を、子機を通じてユーザに通知するものではない。
【００１３】
本発明は、上記の問題点に鑑みてなされたものであり、その目的は、データ処理を行うデータ処理装置親機における、該データ処理に関する状態の変化を、このデータ処理装置親機を利用するユーザの近傍にあるデータ処理装置子機から通知させることができる通信システム、データ処理装置親機、データ処理装置子機、通信システムの制御方法、通信システムの制御プログラム、および通信システムの制御プログラムを記録した記録媒体を提供することにある。
【課題を解決するための手段】
【００１４】
本発明に係る通信システムは、上記した課題を解決するために、データを処理するためのデータ処理部を備えたデータ処理装置親機と、該データ処理装置親機と通信可能に接続され、このデータ処理装置親機におけるデータの処理状態の変化を通知する通知情報を出力するための出力手段を備えたデータ処理装置子機と、を有する通信システムであって、
上記データ処理装置親機は、上記データ処理部により実行されたデータ処理に関する状態の変化を検知する検知手段をさらに備えており、上記データ処理装置親機を利用するユーザを識別するための識別情報を記憶し、該ユーザとともに移動する移動記憶装置が、上記データ処理装置子機の設置位置からの所定範囲に存在するか否かを検出する第１移動記憶装置検出部と、上記検知手段によって上記状態の変化が検知されると、上記第１移動記憶装置検出部による移動記憶装置の検出結果に応じて、上記出力手段により上記通知情報を出力させるか否かを決定する決定手段と、を備えることを特徴とする。
【００１５】
なお、ここでデータの処理状態とは、データ処理装置親機が有する各種機能を実行した際の状態である。例えば、データ処理装置親機が、他の装置とデータの送受信を行う機能を有する場合では、このデータの送信または受信を行う処理の状態、入力された原稿を読み取り複写する機能を有する場合では、複写処理の実行状態などが挙げられる。
【００１６】
また、データ処理装置親機にて処理するデータとは、例えば、画像データ、文字データ、音声データ、またはメールデータ等が挙げられる。
【００１７】
また、上記所定範囲とは、出力手段により出力される通知情報をユーザが認識できる程度に、データ処理装置子機に近接した範囲であり、通知情報の出力形式、備えられるデータ処理装置子機の数、およびデータ処理装置子機を備える環境等を考慮して適切に設定される。
【００１８】
上記構成によると、第１移動記憶装置検出部を備えているため、データ処理装置子機の設置位置からの所定範囲内に移動記憶装置を所有するユーザが存在するか否か把握することができる。つまり、データ処理装置子機の近傍にユーザが存在するか否か検出することができる。
【００１９】
また、上記データ処理装置親機が検知手段を備えているため、このデータ処理装置親機においてデータの処理状態に変化が生じたか否かを判定することができる。また、決定手段を備えているため、第１移動記憶装置検出部による移動記憶装置の検出結果に応じて、上記データ処理装置子機から上記状態の変化を通知するための情報である通知情報を出力するか否かを決定することができる。
【００２０】
このため、本発明に係る通信システムは、データ処理装置親機におけるデータ処理に関する状態変化を、このデータ処理装置親機を利用するユーザの近傍にあるデータ処理装置子機から通知させることができるという効果を奏する。
【００２１】
また、本発明に係る通信システムは、上記した構成において、上記第１移動記憶装置検出部による上記検出結果が、上記移動記憶装置の存在の検出を示すものである場合、上記決定手段は、上記出力手段により上記通知情報を出力させると決定するとともに、この出力手段に対して、上記通知情報を出力するよう指示する出力指示情報を送信するように構成されていてもよい。
【００２２】
上記構成によると、上記移動記憶装置の存在を検出した場合、すなわち、データ処理装置子機の設置位置における所定範囲にデータ処理装置親機を利用するユーザが存在する場合に、上記決定手段は、このデータ処理装置子機の出力手段により上記通知情報を出力させる旨を示す出力指示情報を送信することができる。
【００２３】
このため、本発明に係る通信システムでは、データ処理装置親機におけるデータ処理に関する状態変化を、このデータ処理装置親機を利用するユーザの近傍にあるデータ処理装置子機から通知することができる。
【００２４】
なお、上記出力指示情報を送信して出力手段から通知情報を出力させるため、この出力指示情報をデータ処理装置親機から送信する構成の場合、データ処理装置親機とデータ処理装置子機との間で送受信するデータ量を低減させることができる。
【００２５】
また、本発明に係る通信システムは、上記した構成において、上記第１移動記憶装置検出部による上記検出結果が、上記移動記憶装置の存在の検出を示すものである場合、上記決定手段は、上記出力手段により上記通知情報を出力させると決定するとともに、出力させる通知情報を、この出力手段に送信するように構成されていてもよい。
【００２６】
上記構成によると、上記移動記憶装置の存在を検出した場合、すなわち、データ処理装置子機の設置位置における所定範囲にデータ処理装置親機を利用するユーザが存在する場合に、上記決定手段は、このデータ処理装置子機の出力手段により出力させるための通知情報を送信することができる。
【００２７】
このため、本発明に係る通信システムでは、データ処理装置親機におけるデータ処理に関する状態変化を、このデータ処理装置親機を利用するユーザの近傍にあるデータ処理装置子機から通知することができる。
【００２８】
また、本発明に係る通信システムは、上記した構成において、上記出力手段により出力する上記通知情報は、音声情報であってもよい。
【００２９】
また、本発明に係る通信システムは、上記した構成において、上記出力手段により出力する上記通知情報は、文字情報であってもよい。
【００３０】
また、本発明に係る通信システムは、上記した構成において、上記データ処理装置親機によって処理されるデータ処理とは、他のデータ処理装置との間でのデータの送受信処理であって、上記検知手段は、他のデータ処理装置との間でのデータの送受信処理に関する、データ処理装置親機における状態の変化を検知しており、上記第１移動記憶装置検出部が、検出した移動記憶装置から上記識別情報を取得しており、上記検知手段が上記状態の変化を検知すると、上記決定手段は、上記第１移動記憶装置検出部が上記移動記憶装置から取得した上記識別情報に基づき、上記出力手段により上記通知情報を出力させるか否かを決定するように構成されていてもよい。
【００３１】
ここで、上記データの送受信処理に関する、データ処理装置親機における状態の変化を示す例として、例えば、以下の発生時点を挙げることができる。すなわち、他のデータ処理装置から送信されたデータの受信完了時点、他のデータ処理装置に送信するデータの送信完了時点、他のデータ処理装置とのデータの送受信処理においてエラーが発生した時点、他のデータ処理装置とのデータの送受信処理中に別の処理が割り込んできた時点等である。
【００３２】
上記構成によると、上記検知手段が上記状態の変化を検知すると、上記決定手段が、上記識別情報に基づき出力手段により通知情報を出力させるか否か決定できる。すなわち、上記通信システムでは、上記状態の変化を検知された場合に、データ処理装置子機の設置位置からの所定範囲に存在する移動記憶装置の所有者に応じて通知情報の出力を該データ処理装置子機から行うか否か決定することができる。
【００３３】
それゆえ、本発明に係る通信システムでは、データ処理装置子機から所定範囲内にいるユーザに応じて適切に通知情報の出力を制御することができる。
【００３４】
また、本発明に係る通信システムは、上記した構成において、上記識別情報には、上記状態が変化した際のデータの送受信相手である他のデータ処理装置のうち、上記出力手段により通知情報を出力すべき他のデータ処理装置を特定するための特定情報が含まれており、上記第１移動記憶装置検出部により上記移動記憶装置から取得された上記識別情報に含まれる特定情報が、上記検知手段により状態の変化が検知された、データの送受信処理における上記他のデータ処理装置を示すものである場合、上記決定手段は、上記出力手段により上記通知情報を出力させることを決定するように構成されていてもよい。
【００３５】
上記構成によると、上記識別情報に含まれる特定情報が、状態の変化が検知された、データの送受信処理における送受信相手である、他のデータ処理装置を示すものである場合に、上記出力手段により上記通知情報を出力させると決定する。
【００３６】
このため、例えば、上記検知手段が上記状態の変化を検知し、第１移動記憶装置検出部によって移動記憶装置が検出された場合であっても、状態の変化が生じた際のデータの送受信相手が、移動記憶装置に記憶された他のデータ処理装置でない場合は、データ処理装置子機からこの状態の変化を通知しない。
【００３７】
したがって、データの送受信に関する状態の変化が生じた場合、この変化を通知する必要があるときのみに限定して、データ処理装置子機から所定範囲内にいるユーザに通知を行うことができる。
【００３８】
また、本発明に係る通信システムは、上記した構成において、上記識別情報には、上記状態が変化した際のデータの送受信相手である他のデータ処理装置のうち、上記出力手段により通知情報を出力すべきではない他のデータ処理装置を特定するための特定情報が含まれており、上記第１移動記憶装置検出部により上記移動記憶装置から取得された上記識別情報に含まれる特定情報が、上記検知手段により状態の変化が検知された、データの送受信処理における上記他のデータ処理装置を示すものでない場合、上記決定手段は、上記出力手段により上記通知情報を出力させると決定するように構成されていてもよい。
【００３９】
上記構成によると、上記識別情報に含まれる特定情報が、状態の変化が検知された、データの送受信処理における送受信相手である、他のデータ処理装置を示すものでない場合に、上記出力手段により上記通知情報を出力させると決定する。
【００４０】
このため、例えば、上記検知手段が上記状態の変化を検知し、第１移動記憶装置検出部によって移動記憶装置が検出された場合であっても、状態の変化が生じた際のデータの送受信相手が、移動記憶装置に記憶された他のデータ処理装置である場合は、データ処理装置子機からこの状態の変化を通知しない。
【００４１】
したがって、データの送受信に関する状態の変化が生じた場合、特定の他のデータ処理装置とのデータの送受信処理を除外して、データ処理装置子機から所定範囲内にいるユーザに通知を行うことができる。
【００４２】
また、本発明に係る通信システムは、上記した構成において、上記識別情報には、上記他のデータ処理装置から送信されるデータの送信先として、当該移動記憶装置を保持するユーザに割り当てた送信先情報が含まれており、上記第１移動記憶装置検出部により上記移動記憶装置から取得された上記識別情報に含まれる送信先情報が、上記データの送受信処理においてデータの送信元となる他のデータ処理装置から、該データの送信先として通知された情報と一致する場合、上記決定手段は、上記出力手段により上記通知情報を出力させると決定するように構成されてもよい。
【００４３】
上記構成によると、上記識別情報に含まれる送信先情報が、受信したデータの送信元である他のデータ処理装置から、データの送信先として通知された情報と一致する場合に、上記出力手段により上記通知情報を出力させると決定する。
【００４４】
このため、例えば、検知手段が上記状態の変化としてデータの受信完了を検知し、第１移動記憶装置検出部によって移動記憶装置が検出された場合であっても、この移動記憶装置に記憶された送信先情報が、受信完了したデータの送信先として通知された情報と一致するときのみ、データ処理装置子機からこのデータの受信完了を通知することができる。
【００４５】
したがって、本発明に係る通信システムは、データの送受信に関する状態の変化としてデータの受信が完了した場合、この変化を通知する必要があるユーザに限定して、該ユーザの近傍にあるデータ処理装置子機から通知を行うことができる。
【００４６】
また、本発明に係る通信システムは、上記した構成において、上記データ処理装置子機を複数備え、各データ処理装置子機は、上記第１移動記憶装置検出部をそれぞれ有しており、上記決定手段は、上記第１移動記憶装置検出部によって移動記憶装置を検出したデータ処理装置子機の出力手段により、上記通知情報を出力させることを決定するように構成されていてもよい。
【００４７】
上記構成によると、複数あるデータ処理装置子機のうち、第１移動記憶装置検出部によって移動記憶装置を検出した、データ処理装置子機から通知情報を出力させるように決定手段が決定することができる。つまり、データ処理装置子機を複数備える構成であっても、移動記憶装置を所持するユーザが近傍に存在するデータ処理装置子機を選択して、通知情報を出力させることができる。
【００４８】
また、本発明に係る通信システムは、上記した構成において、上記検知手段によって上記状態の変化が検知されると、上記第１移動記憶装置検出部に上記移動記憶装置の検出を指示する検出指示手段をさらに備え、上記検出指示手段による移動記憶装置の検出の指示に応じて、上記第１移動記憶装置検出部が、上記データ処理装置子機の設置位置からの所定範囲に移動記憶装置が存在するか否かを検出するように構成されていてもよい。
【００４９】
上記構成によると、検出指示手段をさらに備えるため、上記状態の変化が検知された場合に、上記第１移動記憶装置検出部に上記移動記憶装置の検出を指示することができる。このため、上記第１移動記憶装置検出部を、常時稼動させ、移動記憶装置の検出を行う必要がないため、消費電力を低減させることができる。また、上記状態の変化が検知された際に、移動記憶装置の検出を行うため、この変化時における移動記憶装置を所持するユーザの、データ処理装置子機からの位置を把握することができる。
【００５０】
また、本発明に係る通信システムは、上記した構成において、上記第１移動記憶装置検出部は、移動記憶装置が上記データ処理装置子機の設置位置からの所定範囲に存在するか否か定期的に検出するように構成されていてもよい。
【００５１】
上記構成によると、上記第１移動記憶装置検出部が、移動記憶装置が上記データ処理装置子機の設置位置からの所定範囲に存在するか否かを定期的に検出するため、第１移動記憶装置検出部を常時稼動させる構成と比較して消費電力を低減させることができる。
【００５２】
また、本発明に係る通信システムは、上記した構成において、上記第１移動記憶装置検出部は、移動記憶装置が上記データ処理装置子機の設置位置からの所定範囲に存在するか否か常時検出するように構成されていてもよい。
【００５３】
上記構成によると、上記第１移動記憶装置検出部は、移動記憶装置が上記データ処理装置子機の設置位置からの所定範囲内に存在するか否か常時検出するように構成されているため、この所定範囲内における移動記憶装置の存在の有無を常時監視することができる。
【００５４】
このため、上記検知手段によって上記状態の変化が検知された際の、移動記憶装置の上記所定範囲における移動記憶装置の存在の有無を確度よく検出することができる。
【００５５】
また、本発明に係る通信システムは、上記した構成において、データ処理装置親機に対する操作時におけるユーザの移動範囲である、操作位置範囲に、上記移動記憶装置が存在するか否かを検出し、該移動記憶装置から上記識別情報を取得する第２移動記憶装置検出部と、上記データ処理装置親機に対して上記ユーザにより入力されたデータ処理の実行指示を受けつける受付け部と、上記第２移動記憶装置検出部によって取得された識別情報と、上記受付け部によって受けつけたデータ処理の実行指示により実行したデータ処理とを対応付けたユーザ管理情報を記憶するユーザ管理情報記憶装置とを備え、上記検知手段によって上記データの処理状態の変化が検知されると、上記決定手段が、上記ユーザ管理情報記憶装置に記憶したユーザ管理情報と、上記第１移動記憶装置検出部による移動記憶装置の検出結果とに基づき、上記状態の変化が検知されたデータ処理の実行を指示したユーザの識別情報と、上記第１移動記憶装置検出部によって検出された移動記憶装置を所持するユーザの識別情報とが一致するか否か確認し、上記識別情報が一致する場合、上記データ処理装置子機の出力手段により上記通知情報を出力させると決定するように構成されていてもよい。
【００５６】
上記構成によると、第２移動記憶装置検出部と受付け部とを備えるため、データ処理装置親機にてデータ処理の実行を指示したユーザを把握することができる。さらにまた、ユーザ管理情報記憶装置を備えるため、データ処理装置親機にてデータ処理の実行を指示したユーザを管理しておくことができる。
【００５７】
また、検知手段によって上記データの処理状態の変化が検知されると、決定手段が、上記ユーザ管理情報記憶装置に記憶したユーザ管理情報と、上記第１移動記憶装置検出部による移動記憶装置の検出結果とに基づき、上記状態の変化が検知されたデータ処理の実行を指示したユーザの識別情報と、上記第１移動記憶装置検出部によって検出された移動記憶装置を所持するユーザの識別情報とが一致するか否か確認することができる。そして、上記識別情報が一致する場合、このデータ処理装置子機の出力手段により上記通知情報を出力させると決定する。
【００５８】
このため、ユーザが実行を指示したデータ処理の処理状態に変化が生じた場合、この変化を通知する通知情報をこのデータ処理の実行を指示したユーザに確実にデータ処理装置子機を介して通知できる。
【００５９】
また、本発明に係る通信システムは、上記した構成において、上記検知手段によって上記状態の変化が検知された際に、上記出力手段により上記通知情報を出力させないと決定した場合、上記決定手段が、該通知情報が未通知であるとして記憶するための、通知情報履歴記憶装置を備えるように構成されていてもよい。
【００６０】
上記構成によると、通知情報履歴情報を備えるため、通知情報が出力手段から出力されず未通知の場合、この未通知の通知情報を記憶させておくことができる。
【００６１】
また、本発明に係る通信システムは、上記した構成において、上記第１移動記憶装置検出部によって上記移動記憶装置から取得した識別情報に基づき、上記決定手段は、上記通知情報履歴記憶装置に記憶されて未通知だった通知情報を上記出力手段により出力させるように決定するように構成されていてもよい。
【００６２】
上記構成によると、決定手段は、識別情報に基づき未通知であった通知情報の出力を決定することができる。このため、上記通信システムでは、データ処理装置子機から所定範囲内に存在するユーザに応じて、未通知であった通知情報の出力の要否を決定することができる。
【００６３】
したがって、本発明に係る通信システムでは、未通知である通知情報を、適切なユーザにデータ処理装置子機から通知させることができる。
【００６４】
また、本発明に係るデータ処理装置親機は、上記した課題を解決するために、当該データ処理装置親機におけるデータ処理の処理状態の変化を通知する通知情報を出力するデータ処理装置子機と通信可能に接続されたデータ処理装置親機であって、データを処理するためのデータ処理部と、上記データ処理部により実行されたデータ処理に関する状態の変化を検知する検知手段と、当該データ処理装置親機を利用するユーザを識別するための識別情報を記憶し、該ユーザとともに移動する移動記憶装置が、上記データ処理装置子機の設置位置からの所定範囲に存在するか否かを検出する第１移動記憶装置検出部と、上記検知手段によって上記状態の変化が検知されると、上記第１移動記憶装置検出部による移動記憶装置の検出結果に応じて、上記データ処理装置子機により上記通知情報を出力させるか否かを決定する決定手段と、を備えることを特徴とする。
【００６５】
上記構成によると、第１移動記憶装置検出部を備えているため、データ処理装置子機の設置位置からの所定範囲内に移動記憶装置を所有するユーザが存在するか否か把握することができる。つまり、データ処理装置子機の近傍にユーザが存在するか否か検出することができる。
【００６６】
また、検知手段を備えているため、データの処理状態に変化が生じたか否かを判定することができる。また、決定手段を備えているため、第１移動記憶装置検出部による移動記憶装置の検出結果に応じて、上記データ処理装置子機から上記状態の変化を通知するための情報である通知情報を出力するか否かを決定することができる。
【００６７】
このため、本発明に係るデータ処理装置親機は、自装置におけるデータ処理に関する状態変化を、このデータ処理装置親機を利用するユーザの近傍にあるデータ処理装置子機から通知させることができるという効果を奏する。
【００６８】
本発明に係るデータ処理装置子機は、上記した課題を解決するために、データを処理するためのデータ処理装置親機と通信可能に接続され、このデータ処理装置親機におけるデータの処理状態の変化を通知する通知情報を出力するための出力手段を備えたデータ処理装置子機であって、上記データ処理装置親機を利用するユーザを識別するための識別情報を記憶し、該ユーザとともに移動する移動記憶装置が、当該データ処理装置子機の設置位置からの所定範囲に存在するか否かを検出する第１移動記憶装置検出部と、上記データ処理装置親機において上記データの処理状態の変化が検知されると、上記第１移動記憶装置検出部による移動記憶装置の検出結果に応じて、上記通知情報を出力させるか否かを決定する決定手段と、を備えることを特徴とする。
【００６９】
上記構成によると、データ処理装置子機は、第１移動記憶装置検出部を備えているため、自装置が設置されている位置からの所定範囲内に移動記憶装置を所有するユーザが存在するか否か把握することができる。つまり、自装置の近傍にユーザが存在するか否か検出することができる。
【００７０】
また、決定手段を備えているため、データ処理装置親機において上記データの処理状態の変化が検知された場合、第１移動記憶装置検出部による移動記憶装置の検出結果に応じて、上記状態の変化を通知するための情報である通知情報を出力するか否かを決定することができる。
【００７１】
このため、本発明に係るデータ処理装置子機は、データ処理装置親機におけるデータ処理に関する状態変化を、このデータ処理装置親機を利用するユーザが近傍に存在する場合に通知させることができるという効果を奏する。
【００７２】
本発明に係る通信システムの制御方法は、上記した課題を解決するために、データを処理するデータ処理装置親機と、該データ処理装置親機と通信可能に接続され、このデータ処理装置親機におけるデータの処理状態の変化を通知する通知情報を出力するための出力手段を備えたデータ処理装置子機とを有する通信システムを制御する制御方法において、データ処理装置親機におけるデータ処理に関する状態の変化を検知する第１ステップと、上記データ処理装置親機を利用するユーザを識別するための、識別情報を記憶し、該ユーザとともに移動する移動記憶装置が、上記データ処理装置子機の設置位置からの所定範囲に存在するか否かを検出する第２ステップと、上記第１ステップにおいて上記状態の変化が検知されると、上記第２ステップにおける移動記憶装置の検出結果に応じて、上記データ処理装置子機の出力手段により上記通知情報を出力させるか否かを決定する第３ステップと、を含むことを特徴とする。
【００７３】
上記方法では、第１ステップを含むため、データ処理装置親機におけるデータの処理状態において変化が生じたか否かを判定することができる。
【００７４】
また、第２ステップを含むため、データ処理装置子機の設置位置からの所定範囲内に移動記憶装置を所有するユーザが存在するか否か把握することができる。つまり、データ処理装置子機の近傍にユーザが存在するか否か検出することができる。
【００７５】
また、第３ステップを含むため、第１ステップによりデータの処理状態における変化を検知すると、第２ステップにおける移動記憶装置の検出結果に応じて、上記データ処理装置子機から上記状態の変化を通知するための情報である通知情報を出力するか否かを決定することができる。
【００７６】
このため、本発明に係る通信システムの制御方法は、データ処理装置親機におけるデータ処理に関する状態変化を、このデータ処理装置親機を利用するユーザの近傍にあるデータ処理装置子機から通知させることができるという効果を奏する。
【００７７】
なお、上記通信システムは、コンピュータによって実現してもよく、この場合には、コンピュータを上記各手段として動作させることにより上記通信システムをコンピュータにて実現させる通信システムの制御プログラム、およびそれを記録したコンピュータ読み取り可能な記録媒体も、本発明の範疇に入る。
【発明の効果】
【００７８】
本発明に係る通信システムは、以上のように、データを処理するためのデータ処理部を備えたデータ処理装置親機と、該データ処理装置親機と通信可能に接続され、このデータ処理装置親機におけるデータの処理状態の変化を通知する通知情報を出力するための出力手段を備えたデータ処理装置子機と、を有する通信システムであって、上記データ処理装置親機は、上記データ処理部により実行されたデータ処理に関する状態の変化を検知する検知手段をさらに備えており、上記データ処理装置親機を利用するユーザを識別するための識別情報を記憶し、該ユーザとともに移動する移動記憶装置が、上記データ処理装置子機の設置位置からの所定範囲に存在するか否かを検出する第１移動記憶装置検出部と、上記検知手段によって上記状態の変化が検知されると、上記第１移動記憶装置検出部による移動記憶装置の検出結果に応じて、上記出力手段により上記通知情報を出力させるか否かを決定する決定手段と、を備えることを特徴とする。
【００７９】
このため、本発明に係る通信システムは、データ処理装置親機におけるデータ処理に関する状態変化を、このデータ処理装置親機を利用するユーザの近傍にあるデータ処理装置子機から通知させることができるという効果を奏する。
【００８０】
本発明に係るデータ処理装置親機は、以上のように、当該データ処理装置親機におけるデータ処理の処理状態の変化を通知する通知情報を出力するデータ処理装置子機と通信可能に接続されたデータ処理装置親機であって、データを処理するためのデータ処理部と、上記データ処理部により実行されたデータ処理に関する状態の変化を検知する検知手段と、当該データ処理装置親機を利用するユーザを識別するための識別情報を記憶し、該ユーザとともに移動する移動記憶装置が、上記データ処理装置子機の設置位置からの所定範囲に存在するか否かを検出する第１移動記憶装置検出部と、上記検知手段によって上記状態の変化が検知されると、上記第１移動記憶装置検出部による移動記憶装置の検出結果に応じて、上記データ処理装置子機により上記通知情報を出力させるか否かを決定する決定手段と、を備えることを特徴とする。
【００８１】
このため、本発明に係るデータ処理装置親機は、自装置におけるデータ処理に関する状態変化を、このデータ処理装置親機を利用するユーザの近傍にあるデータ処理装置子機から通知させることができるという効果を奏する。
【００８２】
本発明に係るデータ処理装置子機は、以上のように、データを処理するためのデータ処理装置親機と通信可能に接続され、このデータ処理装置親機におけるデータの処理状態の変化を通知する通知情報を出力するための出力手段を備えたデータ処理装置子機であって、上記データ処理装置親機を利用するユーザを識別するための識別情報を記憶し、該ユーザとともに移動する移動記憶装置が、当該データ処理装置子機の設置位置からの所定範囲に存在するか否かを検出する第１移動記憶装置検出部と、上記データ処理装置親機において上記データの処理状態の変化が検知されると、上記第１移動記憶装置検出部による移動記憶装置の検出結果に応じて、上記通知情報を出力させるか否かを決定する決定手段と、を備えることを特徴とする。
【００８３】
このため、本発明に係るデータ処理装置子機は、データ処理装置親機におけるデータ処理に関する状態変化を、このデータ処理装置親機を利用するユーザが近傍に存在する場合に通知させることができるという効果を奏する。
【００８４】
本発明に係る通信システムの制御方法は、以上のように、データを処理するデータ処理装置親機と、該データ処理装置親機と通信可能に接続され、このデータ処理装置親機におけるデータの処理状態の変化を通知する通知情報を出力するための出力手段を備えたデータ処理装置子機とを有する通信システムを制御する制御方法において、データ処理装置親機におけるデータ処理に関する状態の変化を検知する第１ステップと、上記データ処理装置親機を利用するユーザを識別するための、識別情報を記憶し、該ユーザとともに移動する移動記憶装置が、上記データ処理装置子機の設置位置からの所定範囲に存在するか否かを検出する第２ステップと、上記第１ステップにおいて上記状態の変化が検知されると、上記第２ステップにおける移動記憶装置の検出結果に応じて、上記データ処理装置子機の出力手段により上記通知情報を出力させるか否かを決定する第３ステップと、を含むことを特徴とする。
【００８５】
このため、本発明に係る通信システムの制御方法は、データ処理装置親機におけるデータ処理に関する状態変化を、このデータ処理装置親機を利用するユーザの近傍にあるデータ処理装置子機から通知させることができるという効果を奏する。
【発明を実施するための最良の形態】
【００８６】
本発明の一実施形態について図１ないし図１６に基づいて説明すると以下の通りである。すなわち、本実施の形態に係るファクシミリ装置１（通信システム）は、通信キャリアの交換機を介して、公衆回線網４を通じ、他のファクシミリ装置と画像データ等のデータを送受信できるものである。このファクシミリ装置１は、図２に示すように、他のファクシミリ装置と画像データを送受信するファクシミリ装置親機（データ処理装置親機）２と、該ファクシミリ装置親機２と無線により通信可能に接続されたファクシミリ装置子機（データ処理装置子機）３とを備えてなる構成である。なお、この図２は、本発明の実施形態を示すものであり、ファクシミリ装置１の概略構成の一例を説明する図である。
【００８７】
上記ファクシミリ装置１では、ファクシミリ装置子機３が、ＲＦＩＤタグリーダ（第１移動記憶装置検出部）３２を備えており、該ＲＦＩＤタグリーダ３２により検知範囲（所定範囲）５にＲＦＩＤタグ（移動記憶装置）４０を保持した利用者（ユーザ）が存在するか否か検知できる構成となっている。
【００８８】
さらにまた、ファクシミリ装置親機２は、画像データの送受信に関する状態の変化を検知すると、ユーザが近傍に存在するファクシミリ装置子機３、すなわちＲＦＩＤタグリーダ３２の検知範囲５に上記ユーザが存在するファクシミリ装置子機３を介して、該変化を通知する構成となっている。なお、これ以降、ファクシミリ装置親機２からファクシミリ装置子機３に対して、画像データの送受信に関する状態の変化を、ファクシミリ装置子機３を介して通知する処理を、「データ送受信に関する状態変化の通知処理」と称することとする。
【００８９】
なお、上記データ送受信に関する状態の変化としては、例えば、他のファクシミリ装置からの画像データの受信が完了した場合、他のファクシミリ装置への画像データの送信が完了した場合、画像データの送信中または受信中にエラーが生じた場合、あるいは画像データの送信または受信中に第３者によって割り込み処理が実行された場合等が挙げられる。
【００９０】
（ファクシミリ装置親機の構成）
上記したファクシミリ装置１が備えるファクシミリ装置親機２の構成について図３を参照して説明する。図３は、本発明の実施形態を示すものであり、ファクシミリ装置１が備えるハードウェアに関する要部構成を示すブロック図である。
【００９１】
ファクシミリ装置親機２は、図３に示すように、網制御部１１、モデム１２、通信制御部１３、読み取り処理部（データ処理部）１４、記録処理部（データ処理部）１５、メモリ制御部１６、親機用メモリ（ユーザ管理情報記憶装置・通知情報履歴記憶装置）１７、操作部（受付け部）１８、表示部１９、アンテナ２０、親機無線通信部２１、および親機主制御部２２を備えてなる構成である。
【００９２】
網制御部１１は、親機主制御部２２からの制御指示に応じて回線の確立および切断を実行するものである。
【００９３】
モデム１２は、網制御部１１が公衆回線網４を介して通信相手となる端末（他のファクシミリ装置）から受信したアナログ信号をデジタル信号に復調して通信制御部１３に出力し、また通信制御部１３から出力されたデジタル信号をアナログ信号に変調して、網制御部１１に出力し、公衆回線網４を介して通信相手となる端末に送信するように、信号を変調および復調するものである。
【００９４】
通信制御部１３は、親機主制御部２２からの指示に応じて、通信相手となる端末（他のファクシミリ装置）および中継装置等の状態を確認し、画像データが送受信可能な状態であるか判断したり、伝送中の画像データの誤りを確認したりするものである。さらにまた、この通信制御部１３は、画像データの受信完了の確認、画像データの送信完了の確認、ならびに画像データの送信または受信エラーの発生等の確認を行うものでもある。通信制御部１３は、画像データの受信完了および送信完了、画像データの送信または受信エラー等、画像データの送受信に関する状態の変化を確認すると、この変化を、親機主制御部２２に通知する。
【００９５】
なお、網制御部１１、モデム１２、および通信制御部１３によって本発明に係るデータ処理部を実現する。
【００９６】
読み取り処理部１４は、親機主制御部２２からの指示に応じて、原稿から画像データを読み取るものであり、読み取った画像データをメモリ制御部１６に渡し、親機用メモリ１７に記憶させる。
【００９７】
記録処理部１５は、親機主制御部２２からの制御指示に応じて、画像データに基づく画像を記録紙に印字するものである。記録処理部１５は、親機主制御部２２から画像データの印字処理を指示された場合、メモリ制御部１６を介して親機用メモリ１７から画像データを読み出す。そして、記録処理部１５は、この読み出した画像データに基づき、記録紙に画像を印字する。
【００９８】
メモリ制御部１６は、親機主制御部２２からの指示に応じて親機用メモリ１７に記録された画像データを読み出し、記録処理部１５に出力したり、読み取り処理部１４により読み取られた画像データを受信し、親機用メモリ１７に格納したりするものである。
【００９９】
親機用メモリ１７は、読み書き可能な記録媒体であり、例えばフラッシュメモリ等の不揮発性メモリによって実現できる。この親機用メモリ１７には、図３では図示されていないが、読み取り処理部１４によって読み取られた画像データ、あるいは他のファクシミリ装置から受信した画像データが記憶されている。さらには、この親機用メモリ１７には、後述するＲＦＩＤタグ確認情報管理テーブル７０も記憶される。
【０１００】
操作部１８は、ファクシミリ装置親機２に対して情報を入力するための入力手段であり、例えば、画像データの送信先となる他のファクシミリ装置を特定する情報（電話番号）を入力するためのテンキー等によって実現できる。また、この操作部１８は、画像データの送信または受信処理中に、割り込んで別の処理を優先的に行うように指示するための指示情報を入力することもできるようになっている。なお、上記操作部１８を操作し入力された情報は、親機主制御部２２に出力される。
【０１０１】
表示部１９は、画像データの送信先となる他のファクシミリ装置の電話番号を表示したり、受信した画像データの送信元を示す電話番号を表示したりするものである。例えば、表示部１９は、ＬＣＤ（liquid crystal display）等によって実現できる。
【０１０２】
親機無線通信部２１は、親機主制御部２２からの制御指示に応じて、アンテナ２０を介してファクシミリ装置子機３と無線による通信を確立するように制御するものである。親機無線通信部２１は、ファクシミリ装置子機３との間で通信を確立させると、例えば、ＲＦＩＤタグ４０の存在の有無に関する検知結果を要求する要求コマンドである、問い合わせ情報６１を送信したり、ファクシミリ装置子機３から、この要求コマンドに対する応答であるＲＦＩＤタグ確認情報６２を受信したりする。また、親機無線通信部２１は、ファクシミリ装置子機３に対して音声の出力を指示する指示コマンドである音声データ出力指示情報（出力指示情報）６３を送信したりするものでもある。
【０１０３】
親機主制御部２２は、ファクシミリ装置親機２が備える各部の各種制御を行うものである。親機主制御部２２は、「データ送受信に関する状態変化の通知処理」に関する機能ブロックとして、図１に示すように、状態検出部（検知手段）４１、ＲＦＩＤタグ確認指示部（検出指示手段）４２、および通知決定部（決定手段）４３を備えてなる構成である。なお、これらの機能ブロックは、親機主制御部２２がＣＰＵによって実現できる場合、該ＣＰＵが不図示のＲＯＭに記憶されたプログラムを、不図示のＲＡＭに読み出し実行することにより実現できる。また、図１は、本発明の実施形態を示すものであり、「データ送受信に関する状態変化の通知処理」に関するファクシミリ装置１の要部構成を示すブロック図である。この図１では、「データ送受信に関する状態変化の通知処理」が明確となるように、図３において示した、ファクシミリ装置親機２が備える、読み取り処理部１４、記録処理部１５、および表示部１９等「データ送受信に関する状態変化の通知処理」説明に関連しない部材は図示していない。
【０１０４】
状態検出部４１は、通信制御部１３から、画像データの送受信に関する状態を示す情報を受信し、この状態の変化を検出するものである。状態検出部４１は、上記状態の変化として、画像データの送信および受信の完了を示す情報、またはエラーの発生を示す情報等を受けつける。さらに、操作部１８から割り込み処理を指示する情報が入力されると、状態検出部４１は、この情報も受けつけ、データの送信または受信処理が一時中断された状態であることを検出する。
【０１０５】
このように画像データの送受信に関する状態の変化を検出すると、状態検出部４１は、ＲＦＩＤタグ確認指示部４２および通知決定部４３にこの検出結果を出力する。
【０１０６】
ＲＦＩＤタグ確認指示部４２は、状態検出部４１から出力された検出結果に基づき、ファクシミリ装置子機３に、検知範囲５内にＲＦＩＤタグを所有する利用者が存在するか否か問い合わせるための、問い合わせ情報６１を出力するものである。ＲＦＩＤタグ確認指示部４２は、この指示を親機無線通信部２１、アンテナ２０を介して電波によりファクシミリ装置子機３に送信する。
【０１０７】
通知決定部４３は、状態検出部４１から入力された上記検出結果に応じて、ファクシミリ装置子機３から受信した、検知範囲５におけるＲＦＩＤタグ４０の有無を示す情報（ＲＦＩＤタグ確認情報６２）に基づき、ファクシミリ装置子機３を介して、画像データの送受信に関する状態変化の通知を行うか否かを決定するものである。
【０１０８】
通知決定部４３が、ファクシミリ装置子機３を介して、データ送受信に関する状態変化の通知を行うと決定した場合、音声データ出力指示情報６３を親機無線通信部２１、アンテナ２０を通じて、ファクシミリ装置子機３に送信する。
【０１０９】
（ファクシミリ装置子機の構成）
次に、上記したファクシミリ装置１が備えるファクシミリ装置子機３の構成について再度、図３を参照して説明する。ファクシミリ装置子機３のハードウェア構成は、図３に示すように、アンテナ３０、子機無線通信部３１、ＲＦＩＤタグリーダ３２、音声出力制御部３３、スピーカ３４、子機用メモリ３５、および子機主制御部３６を備えてなる構成である。
【０１１０】
子機無線通信部３１は、アンテナ３０を介して、ファクシミリ装置親機２との通信を確立するように制御したり、ファクシミリ装置親機２との情報の送受信を制御したりするものである。子機無線通信部３１は、例えば、ファクシミリ装置親機２から検知範囲５におけるＲＦＩＤタグ４０の有無を問い合わせるための、問い合わせ情報６１を受けつけたり、ＲＦＩＤタグリーダ３２によるＲＦＩＤタグの検出結果（ＲＦＩＤタグ確認情報６２）をファクシミリ装置親機２に送出したりする。さらにまた、子機無線通信部３１は、アンテナ３０を介して、ファクシミリ装置親機２から、音声データを出力するように指示するための、音声データ出力指示情報６３を受けつけたりするものである。
【０１１１】
ＲＦＩＤタグリーダ３２は、子機主制御部３６からの制御指示に基づき、検知範囲５にＲＦＩＤタグ４０が存在するか否か検知するものである。ＲＦＩＤタグリーダ３２は、検知した結果を子機主制御部３６に出力する。
【０１１２】
音声出力制御部３３は、子機用メモリ３５に格納されている音声データ（通知情報）３７に基づき音声を、スピーカ３４から出力できる形式に変換するものである。なお、音声出力制御部３３とスピーカ３４とによって本発明に係る出力手段を実現する。
【０１１３】
子機用メモリ３５は、読み書き可能な記録媒体であり、例えばフラッシュメモリ等の不揮発性メモリによって実現できる。この子機用メモリ３５には、図３では図示されていないが、スピーカ３４から出力させる音声の音声データ３７が記憶されている。
【０１１４】
子機主制御部３６は、ファクシミリ装置子機３が備える各部の各種制御を行うものであり、機能ブロックとして、図１に示すようにＲＦＩＤタグ検出指示部５１および音声出力指示部５２を備えてなる構成である。なお、これらの機能ブロックは、子機主制御部３６がＣＰＵによって実現できる場合、該ＣＰＵが不図示のＲＯＭに記憶されたプログラムを、不図示のＲＡＭに読み出し実行することにより実現できる。
【０１１５】
ＲＦＩＤタグ検出指示部５１は、ＲＦＩＤタグリーダ３２を稼動するように制御し、検知範囲５におけＲＦＩＤタグ４０の存在の有無についての検知結果を受信するものである。ＲＦＩＤタグ検出指示部５１は、子機無線通信部３１を介してファクシミリ装置親機２から、検知範囲５におけるＲＦＩＤタグ４０の存在の有無を確認する旨の指示（問い合わせ情報６１）を受信すると、ＲＦＩＤタグリーダ３２に起動指示情報を出力する。そして、ＲＦＩＤタグ検出指示部５１は、ＲＦＩＤタグリーダ３２から上記検出結果を受信し、この受信した結果を、ＲＦＩＤタグ確認情報６２として子機無線通信部３１を介してファクシミリ装置親機２に送信する。
【０１１６】
音声出力指示部５２は、子機無線通信部３１を介して、ファクシミリ装置親機２から上記音声データ出力指示情報６３を受信すると、音声出力制御部３３を制御してスピーカ３４を通じて音声を出力させるものである。
【０１１７】
上記した各部を備えるファクシミリ装置１では、他のファクシミリ装置との間におけるデータ送受信に関する状態の変化を検知すると、図４に示すように、以下のようにしてこの変化の通知処理を行う。なお、図４は本発明の実施形態を示すものであり、ファクシミリ装置１におけるデータ送受信に関する状態変化の通知処理の一例を示すシーケンス図である。
【０１１８】
（データ送受信に関する状態変化の通知処理）
まず、前提として、ファクシミリ装置１は、１台のファクシミリ装置子機３を備えているものとする。また、データ送受信に関する状態変化として、ここでは、他のファクシミリ装置から送信された画像データの受信完了を例に挙げて説明するものとする。
【０１１９】
すなわち、図４に示すように、ファクシミリ装置親機２において、状態検出部４１が、画像データの受信完了を検出すると（ステップＳ１１（第１ステップ）、これ以降Ｓ１１と称する）、その旨をＲＦＩＤタグ確認指示部４２に通知する。ＲＦＩＤタグ確認指示部４２は、状態検出部４１からの上記通知に応じて、ファクシミリ装置子機３に対して、問い合わせ情報６１を送信してＲＦＩＤタグ４０の存在の有無を問い合わせる（Ｓ１２）。
【０１２０】
ファクシミリ装置子機３では、ＲＦＩＤタグ検出指示部５１がファクシミリ装置親機２からの、問い合わせ情報６１を受信すると、ＲＦＩＤタグリーダ３２を稼動させ検知範囲５にＲＦＩＤタグ４０が存在するか否か検索する（Ｓ１３（第２ステップ））。ＲＦＩＤタグ検出指示部５１は、ＲＦＩＤタグリーダ３２からＲＦＩＤタグ４０の存在の有無を示す検出結果を受信すると、該検出結果をＲＦＩＤタグ確認情報６２として、子機無線通信部３１を通じてファクシミリ装置親機２に送信する（Ｓ１４）。
【０１２１】
ファクシミリ装置親機２では、通知決定部４３がＲＦＩＤタグ確認情報６２をファクシミリ装置子機３から受信する。そして、この通知決定部４３は、受信したＲＦＩＤタグ確認情報６２に基づき、検知範囲５においてＲＦＩＤタグ４０が存在するか否か判定する（Ｓ１５）。ここで、通知決定部４３が、ＲＦＩＤタグ４０が存在すると判定した場合（Ｓ１５において「ＹＥＳ」）、音声データ出力指示情報６３をファクシミリ装置子機３に送信して、画像データの受信完了の通知を指示する（Ｓ１６）。なお、このステップＳ１６と上記したステップＳ１５とによって本発明の第３ステップを実現する。
【０１２２】
ファクシミリ装置子機３では、音声出力指示部５２が、ファクシミリ装置親機２から音声データ出力指示情報６３を受信すると、音声出力制御部３３を制御して音声データ３７を読み出して、スピーカ３４から画像データ受信完了を通知する音声を出力させる（Ｓ１７）。
【０１２３】
ここで、上記したＲＦＩＤタグ４０の存在の有無を検索する処理（ステップＳ１３）についての詳細を、図５を参照して説明する。この図５は、本実施の形態に係るＲＦＩＤタグリーダ３２による、ＲＦＩＤタグ４０の存在の有無を検索する処理の一例を示すシーケンス図である。
【０１２４】
すなわち、図５に示すように、ファクシミリ装置子機３では、ＲＦＩＤタグリーダ３２が稼動すると、このＲＦＩＤタグリーダ３２からＲＦＩＤタグ４０に対して接続を要求する信号が送出されるＳ２１）。そして、検知範囲５にＲＦＩＤタグ４０が存在する場合、ＲＦＩＤタグ４０はこの接続要求を受信し、この要求に対する応答を返す（Ｓ２２）。一方、ファクシミリ装置子機３では、ＲＦＩＤタグリーダ３２がこのＲＦＩＤタグ４０からの応答を受信する。このようにして、ＲＦＩＤタグリーダ３２とＲＦＩＤタグ４０との間で通信を確立させる。
【０１２５】
次にＲＦＩＤタグ４０とＲＦＩＤタグリーダ３２との間での通信が確立すると、ＲＦＩＤタグリーダ３２は、ＲＦＩＤタグ４０に対して所有者情報の送信を要求する（Ｓ２３）。このようにＲＦＩＤタグリーダ３２から所有者情報の送信が要求されると、ＲＦＩＤタグ４０は、該ＲＦＩＤタグ４０に格納されている所有者情報を読み出しＲＦＩＤタグリーダ３２に送信する（Ｓ２４）。
【０１２６】
以上のように、本実施の形態に係るファクシミリ装置１は、ファクシミリ装置親機２にて画像データの受信完了等データ送受信に関する変化を検出した場合、ファクシミリ装置子機３の近傍にＲＦＩＤタグ４０を所有するユーザが存在するか否か確認することができる。そして、ファクシミリ装置子機３の近傍にＲＦＩＤタグ４０を所有するユーザが存在する場合、ファクシミリ装置親機２が、画像データ送受信に関する変化を通知する音声を出力するようにファクシミリ装置子機３に指示することができる構成である。
【０１２７】
このため、上記ユーザがファクシミリ装置子機３の近傍に存在するときのみ、画像データ送受信に関する変化を示す通知を、該ファクシミリ装置子機３から出力させることができる。
【０１２８】
なお、上記したファクシミリ装置１では、画像データの送受信に関する状態が変化した場合、ＲＦＩＤタグ４０を検知したファクシミリ装置子機３からこの状態の変化を通知する構成であった。しかしながら、上記状態の変化をファクシミリ装置子機３から通知するか否か決定する判断材料として、さらに以下の条件を加える構成であってもよい。
【０１２９】
すなわち、ＲＦＩＤタグ４０には、データ送受信に関する状態の変化についての通知が所望される、受信した画像データの送信元または送信先を示す電話番号が記録されている。そして、受信した画像データの送信元または送信先の電話番号が、ＲＦＩＤタグ４０に記録されている電話番号と一致した場合に、この状態の変化を示す通知を行う。
【０１３０】
より具体的には、図１に示す構成において、ファクシミリ装置親機２では、通知決定部４３が、ファクシミリ装置子機３から、ＲＦＩＤタグ４０に記憶されていた電話番号の情報をＲＦＩＤタグ確認情報６２に含めて受信する。そして、ＲＦＩＤタグ４０が検知範囲５に存在するか否か確認するとともに、受信した画像データの送信元または送信先の電話番号が、ＲＦＩＤタグ確認情報６２に含まれている電話番号と一致するか否か確認する。そして、通知決定部４３が、検知したＲＦＩＤタグ４０に記憶された電話番号が、受信した画像データの送信元または送信先の電話番号と一致すると判断した場合に、このＲＦＩＤタグ４０を検出したファクシミリ装置子機３に対して音声データ出力指示情報６３を送信する。
【０１３１】
このように、ファクシミリ装置子機３に対して音声データ出力指示情報６３を送信するか否かについての判断条件として、検知されたＲＦＩＤタグ４０に記録されている電話番号と、受信した画像データの送信元または送信先の電話番号とが一致するか否かという条件をさらに設けることにより、ファクシミリ装置子機３から出力する通知を制限することができる。
【０１３２】
なお、ファクシミリ装置親機２は、受信した画像データの送信元を示す電話番号は、該送信元から受信したＦＡＸ信号に含まれており、該ＦＡＸ信号から取得することができる。一方、受信した画像データの送信先を示す電話番号は、本実施の形態に係るファクシミリ装置親機２と他のファクシミリ装置との間で接続制御を行う際に、該他のファクシミリ装置から送出された、接続相手を特定するための選択信号から取得することができる。
【０１３３】
あるいは、逆に、ＲＦＩＤタグ４０には、データ送受信に関する状態の変化についての通知を所望しない、画像データの送信元または送信先を示す電話番号が記録されている。そして、受信した画像データの送信元または送信先の電話番号が、ＲＦＩＤタグ４０に記録されている電話番号と一致した場合は、この状態の変化を示す通知を行わないように構成されていてもよい。
【０１３４】
この構成の場合も、予め通知する必要のないデータの送受信相手を決めておくことができるため、ファクシミリ装置子機３から出力する通知を制限することができる。
【０１３５】
なお、ファクシミリ装置親機２は、上記では受信した画像データの送信元を示す電話番号をＦＡＸ信号から、画像データの送信先を示す電話番号を上記選択信号から判断する構成であった。しかしながら、これに限定されるものではなく、画像データの送信先を示す電話番号を、通信キャリアが提供する発信番号表示サービスを利用し取得したり、ＦＡＸ送信に係るデータプロトコルまたはデータ内に格納された情報から取得したりする構成であってもよい。
【０１３６】
また、ファクシミリ装置親機２は、上記では受信した画像データの送信先を示す電話番号を、通信キャリアが提供するダイヤルインサービスにより付与された番号情報から取得したり、ＦＡＸ送信に係るデータプロトコルまたはデータ内に格納された情報から取得したりする構成であってもよい。
【０１３７】
以上のように、本実施の形態に係るファクシミリ装置１は、他のファクシミリ装置とのデータの送受信に関する状態に変化が生じた場合、ユーザの近傍にあるファクシミリ装置子機３からこの変化を通知することができる構成である。
【０１３８】
なお、本実施の形態に係るファクシミリ装置１のように、他のファクシミリ装置から送信された画像データの受信完了時に、ファクシミリ装置子機３からこの画像データの受信完了を示す通知を行う場合、以下の利点がある。すなわち、ユーザは、ファクシミリ装置親機２付近に常時待機していなくても、他のファクシミリ装置から送信された画像データを受信したことをファクシミリ装置子機３からの通知により把握することができる。
【０１３９】
また、他のファクシミリ装置に送信するデータの送信完了時に、ファクシミリ装置子機３からこの画像データの送信完了を示す通知を行う場合では次の利点がある。すなわち、ユーザは、ファクシミリ装置親機２にセットした送信用の原稿が、正常に送信先に送信されたことを、ファクシミリ装置親機２付近に待機していなくてもファクシミリ装置子機３からの通知により把握することができる。
【０１４０】
また、画像データの送信あるいは受信におけるエラー発生時に、ファクシミリ装置子機３から、このエラー発生を示す通知を行う場合では、次の利点がある。すなわち、ユーザは、ファクシミリ装置親機２付近に常時待機していなくても、エラーが発生したことをファクシミリ装置子機３からの通知により把握することができる。
【０１４１】
また、画像データの送信中における他のユーザによる割り込み処理実行時に、ファクシミリ装置子機３から、この割り込み処理実行を示す通知を行う場合では、次の利点がある。すなわち、ユーザは、ファクシミリ装置親機２付近に待機していなくても、画像データの送信中において他のユーザにより割り込み処理が実行されたことを、ファクシミリ装置親機２付近に待機していなくてもファクシミリ装置子機３からの通知により把握することができる。
【０１４２】
（子機が複数台の場合について）
上記では子機が１台の場合について説明したが、本実施の形態に係るファクシミリ装置１は、図６に示すようにファクシミリ装置子機３を複数台備えた構成としてもよい。図６は、本発明の実施形態を示すものであり、複数のファクシミリ装置子機３・・・を備える、ファクシミリ装置１の概略構成の一例を説明する図である。
【０１４３】
なお、これら複数のファクシミリ装置子機３・・・それぞれを区別して説明する必要がある場合、説明の便宜上、ファクシミリ装置子機（データ処理装置子機）３ａ，３ｂ，３ｃとする。また、本実施の形態に係るファクシミリ装置１において備えるファクシミリ装置子機３の数は図６に示すように３台に限定されるものではなく３台以上であってもよいし、２台であってもよい。
【０１４４】
ファクシミリ装置子機３が複数台備えられる構成の場合は、以下のようにして適切なファクシミリ装置子機３が選択され、この選択されたファクシミリ装置子機３から上記状態の変化を通知する。
【０１４５】
すなわち、ファクシミリ装置親機２において、状態検出部４１がデータの送受信に関する状態の変化を検知すると、図７に示すように、ＲＦＩＤタグ確認指示部４２がファクシミリ装置子機３ａ，３ｂ，３ｃそれぞれに、問い合わせ情報６１を送信する。この問い合わせ情報６１をファクシミリ装置子機３ａ，３ｂ，３ｃそれぞれが受信すると、ＲＦＩＤタグ検出指示部５１からの制御指示によりＲＦＩＤタグリーダ３２を稼動し、ＲＦＩＤタグ４０の存在の有無を検出する。そして、ファクシミリ装置子機３ａ，３ｂ，３ｃそれぞれでは、ＲＦＩＤタグ検出指示部５１が、この検出した結果を、ＲＦＩＤタグ確認情報６２としてファクシミリ装置親機２に送信する。この図７は、本発明の実施形態を示すものであり、ファクシミリ装置親機２とファクシミリ装置子機３・・・との間における、情報の送受信の一例を示す図である。
【０１４６】
なお、この送信されるＲＦＩＤタグ確認情報６２には、該ＲＦＩＤタグ確認情報６２の送信元を示す情報を含めている。このため、ファクシミリ装置親機２では、ファクシミリ装置子機３ａ，３ｂ，３ｃそれぞれからＲＦＩＤタグ確認情報６２を受信した場合であっても、受信したＲＦＩＤタグ確認情報６２はどのファクシミリ装置子機３から送信されたものか把握することができる。
【０１４７】
つまり、ファクシミリ装置親機２では、通知決定部４３がファクシミリ装置子機３それぞれからＲＦＩＤタグ確認情報６２を受信すると、このＲＦＩＤタグ確認情報６２に基づき親機用メモリ１７において、図８に示すようなＲＦＩＤタグ確認情報管理テーブル７０を作成する。なお、この図８、本実施の形態に係るＲＦＩＤタグ確認情報管理テーブル７０の一例を示す図である。
【０１４８】
そして、このＲＦＩＤタグ確認情報管理テーブル７０をメモリ制御部１６に指示して親機用メモリ１７に記録させる。このように親機用メモリ１７にＲＦＩＤタグ確認情報管理テーブル７０を記録しているため、ファクシミリ装置親機２では、該ＲＦＩＤタグ確認情報管理テーブル７０を参照して、各ファクシミリ装置子機３から受信したＲＦＩＤタグ確認情報６２の内容を管理することができる。
【０１４９】
例えば、ファクシミリ装置子機３ｂの近傍にユーザが存在している場合、ＲＦＩＤタグ確認情報管理テーブル７０では、図８に示すようにファクシミリ装置子機３ｂとＲＦＩＤタグ４０が存在する旨の情報とを対応づけて記憶されることとなる。そしてこの場合、通知決定部４３は、ファクシミリ装置子機３ｂに対してのみ音声データ出力指示情報６３を送信する。
【０１５０】
ところで、複数台のファクシミリ装置子機３が設置される場合、異なるファクシミリ装置子機３同士の検知範囲５の重畳する部分にＲＦＩＤタグ４０が存在することがある。より具体的には、図９に示すように、例えばファクシミリ装置子機３ｂとファクシミリ装置子機３ｃとの両方のＲＦＩＤタグリーダ３２それぞれの検知範囲（検知範囲５ｂと検知範囲５ｃ）が重なっており、この重畳部分においてＲＦＩＤタグ４０が検知される場合も想定される。図９は、複数のファクシミリ装置子機３・・・を備えた、本実施の形態に係るファクシミリ装置１において、異なるファクシミリ装置子機３の、ＲＦＩＤタグ４０の検知範囲が重畳する場合を説明する図である。
【０１５１】
このような場合、本実施の形態に係るファクシミリ装置１では、ＲＦＩＤタグリーダ３２にＲＦＩＤタグ４０までの距離を測定する機能が備えられており、ＲＦＩＤタグ４０までの距離が短いファクシミリ装置子機３から通知を行うように構成されている。つまり、ファクシミリ装置親機２から問い合わせ情報６１を受信し、該問い合わせ情報６１に応じてファクシミリ装置子機３ａ，３ｂ，３ｃそれぞれにてＲＦＩＤタグリーダ３２がＲＦＩＤタグ４０の検出を実行する。この際、ＲＦＩＤタグ４０を検出したＲＦＩＤタグリーダ３２は、該ＲＦＩＤタグ４０までの距離を示す情報も取得する。そして、ファクシミリ装置子機３では、ＲＦＩＤタグ検出指示部５１が、子機無線通信部３１を介して、この距離を示す情報もＲＦＩＤタグ確認情報６２に含めてファクシミリ装置親機２に送信する。ファクシミリ装置親機２では、通知決定部４３が、このＲＦＩＤタグ確認情報６２を受信し、ＲＦＩＤタグ４０を検知し、かつ検知したＲＦＩＤタグ４０までの距離が小さい方のファクシミリ装置子機３を選択する。そして、この選択したファクシミリ装置子機３に対して、音声データ出力指示情報６３を出力する。
【０１５２】
以上のように、ファクシミリ装置子機３が複数備えられている構成であっても、ＲＦＩＤタグ４０を所持するユーザの近傍にあるファクシミリ装置子機３を選択して、該ファクシミリ装置子機３からデータの送受信に関する状態の変化を通知させることができる。
【０１５３】
なお、本実施の形態に係るファクシミリ装置１では、ファクシミリ装置親機２が画像データの送受信に関する状態の変化を検知すると、ファクシミリ装置子機３に対してＲＦＩＤタグ４０が検知範囲５に存在するか否か問い合わせる構成である。そして、この問い合わせに応じてファクシミリ装置子機３が、ＲＦＩＤタグリーダ３２により、検知範囲５におけるＲＦＩＤタグ４０の有無を検出し、この検出結果をＲＦＩＤタグ確認情報６２としてファクシミリ装置親機２に送信する構成であった。
【０１５４】
しかしながら、検知範囲５におけるＲＦＩＤタグ４０の有無の検出は、ファクシミリ装置親機２からの問い合わせに応じて行うのではなく以下のタイミングで行われてもよい。
【０１５５】
すなわち、ＲＦＩＤタグリーダ３２が常時稼動しており、検知範囲５におけるＲＦＩＤタグ４０の有無を監視する。ここで、ＲＦＩＤタグリーダ３２が検知範囲５においてＲＦＩＤタグ４０を検知した場合、および検知していたＲＦＩＤタグ４０が検知範囲５において検知されなくなった場合、それぞれの場合にＲＦＩＤタグ検出指示部５１が子機無線通信部３１、アンテナ３０を介してファクシミリ装置親機２にＲＦＩＤタグ確認情報６２を送信する。
【０１５６】
例えば、図１０に示すように、ファクシミリ装置子機３においてＲＦＩＤタグリーダ３２が稼動し、ステップＳ３１で接続要求を送信してもＲＦＩＤタグ４０から応答が返ってこない状態が継続しているとする。つまり検知範囲５にＲＦＩＤタグ４０が存在しない状況が継続しているとする。
【０１５７】
そして、検知範囲５にＲＦＩＤタグ４０を所持するユーザが入ると、送出されたＲＦＩＤタグリーダ３２からの接続要求（Ｓ３２）に対して、ＲＦＩＤタグ４０から応答が返ってくる（Ｓ３３）。つまり、このときＲＦＩＤタグリーダ３２はＲＦＩＤタグ４０を検知したこととなる。
【０１５８】
このようにＲＦＩＤタグリーダ３２は、ＲＦＩＤタグ４０を検知すると、検知したこのＲＦＩＤタグ４０に対して所有者情報を要求する（Ｓ３４）。一方、この要求に応じてＲＦＩＤタグ４０は、ＲＦＩＤタグリーダ３２に対して該ＲＦＩＤタグ４０を所有するユーザの情報（所有者情報）を送信する（Ｓ３５）。
【０１５９】
このようにしてＲＦＩＤタグリーダ３２が所有者情報を受信すると、ファクシミリ装置子機３では、ファクシミリ装置親機２に、この所有者情報をＲＦＩＤタグ確認情報６２として送信する。
【０１６０】
なお、ファクシミリ装置子機３が上記したようにＲＦＩＤタグを検知した場合、検知したＲＦＩＤタグを見失った場合それぞれの場合をファクシミリ装置親機２に通知する構成の場合、ファクシミリ装置親機２では、検知範囲５におけるＲＦＩＤタグ４０の存在の有無を管理する管理テーブル（不図示）を備えた構成とする。
【０１６１】
そして、上記ＲＦＩＤタグ４０が検出されたタイミングでファクシミリ装置子機３からＲＦＩＤタグ確認情報６２を受信した場合、ファクシミリ装置親機２では、通知決定部４３が、メモリ制御部１６を制御して、上記管理テーブルに、ＲＦＩＤタグ４０が存在する旨記録する。一方、検知したＲＦＩＤタグ４０を検知しなくなったタイミングで、ファクシミリ装置子機３からＲＦＩＤタグ確認情報６２を受信した場合、ファクシミリ装置親機２では、通知決定部４３が、メモリ制御部１６を制御して、上記管理テーブルに、ＲＦＩＤタグ４０が存在しない旨記録する。
【０１６２】
ここで画像データの送受信に関する状態が変化した場合、通知決定部４３は、この管理テーブルを参照してファクシミリ装置子機３に音声データ出力指示情報６３を出力するか否かを決定する。つまり、上記管理装置にＲＦＩＤタグ４０が存在する旨記録されている場合、通知決定部４３は、ファクシミリ装置子機３に音声データ出力指示情報６３を出力するように決定する。一方、上記管理装置にＲＦＩＤタグ４０が存在しない旨記録されている場合、通知決定部４３は、ファクシミリ装置子機３に音声データ出力指示情報６３を出力しないように決定する。なお、上記図１０は、本実施の形態に係るファクシミリ装置子機３における、ＲＦＩＤタグ４０検出方法の別の一例を説明するシーケンス図である。
【０１６３】
さらには、上述のように常時ＲＦＩＤタグリーダ３２を稼動させるのではなく、所定のタイミングで所定の時間間隔で、ＲＦＩＤタグリーダを稼動させる構成としてもよい。具体的には、図１１に示すように所定のタイミングにおける所定時間間隔において、ステップＳ４１のように、ファクシミリ装置子機３におけるＲＦＩＤタグリーダ３２から接続要求を送信する。そしてこの要求に対する応答が無かった場合、ファクシミリ装置子機３は、ＲＦＩＤタグ確認情報６２としてＲＦＩＤタグ４０が検知範囲５に存在しない旨の情報を、ＲＦＩＤタグ確認情報６２としてファクシミリ装置親機２に送信する（Ｓ４２）。一方、ステップＳ４３のように接続要求を送信し、ＲＦＩＤタグ４０から応答が得られた場合（Ｓ４４）、ＲＦＩＤタグリーダ３２は、ＲＦＩＤタグ４０に対して所有者情報の送信を要求する（Ｓ４５）。このＲＦＩＤタグリーダ３２からの要求に応じて、ＲＦＩＤタグ４０が所有者情報をＲＦＩＤタグリーダ３２に送信すると（Ｓ４６）、ファクシミリ装置子機３では、ＲＦＩＤタグリーダ３２がこの所有者情報を受信する。そして、ＲＦＩＤタグリーダ３２は、この受信した所有者情報をＲＦＩＤタグ検出指示部５１に送信する。ＲＦＩＤタグ検出指示部５１は、この所有者情報を、ＲＦＩＤタグ確認情報６２として、子機無線通信部３１、アンテナ３０を介してファクシミリ装置親機２に送信する（Ｓ４７）。
【０１６４】
しかしながら、このように所定のタイミングの所定時間間隔において、ＲＦＩＤタグリーダ３２を稼動させる構成よりも、常時ＲＦＩＤタグリーダ３２を稼動させる構成の方が、検知範囲５におけるＲＦＩＤタグ４０の有無をより正確に検出できるというメリットがある。その一方で、ＲＦＩＤタグリーダ３２を常時稼動させるためファクシミリ装置子機３における消費電力が、所定期間、周期的にＲＦＩＤタグリーダを稼動させる構成よりも増大するというデメリットもある。
【０１６５】
そこで、上述したデータの送受信に関する変化が生じたタイミングでファクシミリ装置子機３においてＲＦＩＤタグリーダ３２を稼動させる構成の方が、検知範囲５におけるＲＦＩＤタグ４０の正確な検出と、消費電力の低減という点で、特に効果が大きい。
【０１６６】
なお、上記した図１１は、本実施の形態に係るファクシミリ装置子機３における、ＲＦＩＤタグ４０検出方法の別の一例を説明するシーケンス図である。
【０１６７】
また、本実施の形態に係るファクシミリ装置１が複数のファクシミリ装置子機３・・・を備えた構成であり、２以上のファクシミリ装置子機３・・・においてＲＦＩＤタグ４０を検出した場合、このＲＦＩＤタグ４０までの距離が最も小さいファクシミリ装置子機３から上記状態の変化を通知させる構成であった。
【０１６８】
しかしながら、２以上のファクシミリ装置子機３・・・によりＲＦＩＤタグ４０が検知された場合、以下のように構成し、ファクシミリ装置子機３から上記状態の変化を通知させてもよい。より具体的には、予め、状態の変化を通知させる優先度を各ファクシミリ装置子機３に割り当てておき、この優先度の情報をファクシミリ装置親機２に保持させる。
【０１６９】
そして、複数のファクシミリ装置子機３・・・においてＲＦＩＤタグ４０をそれぞれ検出した場合、ＲＦＩＤタグ４０を検出したファクシミリ装置子機３の中で最も高い優先度が割り当てられているものを選択して、上記状態の変化を通知させる。
【０１７０】
このように、ファクシミリ装置子機３において上記状態の変化を通知する優先度を予め決めておく構成の場合、ＲＦＩＤタグリーダ３２は、ＲＦＩＤタグ４０までの距離を測定する必要がないため、その構成をより簡易なものとすることができる。
【０１７１】
また、本実施の形態に係るファクシミリ装置１では、ファクシミリ装置親機２が、状態検出部４１、および通知決定部４３を備え、ファクシミリ装置子機３がＲＦＩＤタグ検出指示部５１および音声出力指示部５２を備える構成であった。
【０１７２】
しかしながら、図１２に示すように、上記通知決定部４３をファクシミリ装置子機３が備える構成であってもよい。なお、図１２は、本発明の実施形態を示すものであり、「データ送受信に関する状態変化の通知処理」に関するファクシミリ装置１の別の要部構成を示すブロック図である。
【０１７３】
このように構成される場合、本実施の形態に係るファクシミリ装置１では、「データ送受信に関する状態変化の通知処理」を、以下のようにして実行する。
【０１７４】
すなわち、まず、状態検出部４１がデータ送受信に関する状態の変化を検出したとする。この状態検出部４１により検出された状態の変化に応じて、ＲＦＩＤタグ確認指示部４２がファクシミリ装置子機３に対して、問い合わせ情報６１を送信する。この問い合わせ情報６１を、アンテナ３０、および子機無線通信部３１を介して、ファクシミリ装置子機３におけるＲＦＩＤタグ検出指示部５１が受信すると、ＲＦＩＤタグリーダ３２を稼動させ、ＲＦＩＤタグ４０の検知を行う。ＲＦＩＤタグ検出指示部５１は、ＲＦＩＤタグリーダ３２からＲＦＩＤタグ４０に対する検知結果を受信すると、この検知結果を通知決定部４３に送信する。
【０１７５】
通知決定部４３は、ＲＦＩＤタグ検出指示部５１から上記検知結果を受信すると、この検知結果において、ＲＦＩＤタグ４０が検知されたことを示す情報を含む場合は、音声を出力するように音声出力指示部５２に指示する。一方、受信した検知結果がＲＦＩＤタグ４０を検知しなかった旨を示す情報を含む場合、通知決定部４３は、当該通知決定部４３を備えるファクシミリ装置子機３においてデータ送受信に関する状態変化の通知を実行しない。
【０１７６】
なお、上述のように、ファクシミリ装置子機３が通知決定部４３を備える構成であって、ファクシミリ装置１においてファクシミリ装置子機３を複数備えられている場合、以下のようにして、データ送受信処理における状態の変化の通知を実行することができる。
【０１７７】
すなわち、ファクシミリ装置親機２では、状態検出部４１が、画像データの送受信に関する状態の変化を検出すると、この検出結果をＲＦＩＤタグ確認指示部４２に送信する。ＲＦＩＤタグ確認指示部４２は、この検知結果を受信すると、親機無線通信部２１およびアンテナ２０を通じて、ファクシミリ装置子機３・・・それぞれに対して、問い合わせ情報６１を送信する。
【０１７８】
問い合わせ情報６１を受信すると、各ファクシミリ装置子機３において、上記したようにＲＦＩＤタグ４０に対する検知を行い、この検知結果に基づき、通知決定部４３が、自身が備えられているファクシミリ装置子機３において音声の出力を実行するか否か決定する。
【０１７９】
したがって、ＲＦＩＤタグ４０に対する検知結果においてＲＦＩＤタグ４０を検知したファクシミリ装置子機３からのみ音声が出力されることとなる。
【０１８０】
また、本実施の形態に係るファクシミリ装置１は、図１３に示すように、例えば、画像データの送信を指示したユーザが近傍に存在するファクシミリ装置子機３を選択し、このファクシミリ装置子機３から、画像データの送信完了を通知する構成としてもよい。この図１３は、本実施の形態に係るファクシミリ装置１における、「データ送受信に関する状態変化の通知処理」の別の一例を説明する図であり、ファクシミリ装置親機２とユーザとの配置関係、ならびにファクシミリ装置子機３とユーザとの配置関係それぞれを示す。
【０１８１】
すなわち、図１４に示すように、ファクシミリ装置１は、図１に示す構成において、ファクシミリ装置親機２がさらに親機用ＲＦＩＤタグリーダ（第２移動記憶装置検出部）２３および計時部２６を備えるとともに、親機主制御部２２が機能ブロックとして操作監視部４４を備える。また、親機用メモリ１７において、後述する操作者情報（ユーザ管理情報）２４および通知履歴２５を記憶しており、この操作者情報２４を参照して、通知決定部４３が、状態の変化を通知する通知先のファクシミリ装置子機３を選択する点で図１に示すファクシミリ装置親機２の構成と異なる。
【０１８２】
なお、それ以外の構成については、図１に示すファクシミリ装置親機２の構成と同様であるため、共通する各部の説明を省略するとともに同じ符号を付す。図１４は、本実施の形態に係るファクシミリ装置における、「データ送受信に関する状態変化の通知処理」に関するさらなる構成の一例を示すブロック図である。
【０１８３】
上記親機用ＲＦＩＤタグリーダ２３は、図１３に示すようにその検知範囲（操作位置範囲）５０がファクシミリ装置親機２のユーザによる操作位置を含むように設定されている。そして、この親機用ＲＦＩＤタグリーダ２３は、常時稼動しており、ＲＦＩＤタグ４０を検知すると、このＲＦＩＤタグ４０を所持するユーザの識別情報を操作監視部４４に出力する。
【０１８４】
上記計時部は時刻を計測するものであり、例えば、後述するが操作監視部４４からの要求により、指示された処理の開始時間や、該処理が終了した時間等を通知する。
【０１８５】
上記操作監視部４４は、ファクシミリ装置親機１を操作するユーザを監視するものである。より具体的には、操作監視部４４は、親機用ＲＦＩＤタグリーダ２３からＲＦＩＤタグ４０を所持するユーザの識別情報を受信するとともに、操作部１８から、このユーザから指示された処理の実行に関する情報を受信する。
【０１８６】
また、操作監視部４４は、ユーザから指示された処理の実行開始時間を計時部２６から受信する。そして、実行を指示したユーザを識別するユーザ識別情報と、該ユーザが実行を指示した処理（実行指示処理）と、この指示された処理を開始した時間（処理開始時間）とを対応付けて図１５に示すような操作者情報２４として親機用メモリ１７に記憶するようにメモリ制御部１６に指示する。この図１５は、本発明の実施形態を示すものであり、操作者情報２４の一例を示す図である。
【０１８７】
このような構成において、状態検出部４１が、例えば、画像データの送信完了等、状態の変化を検知すると、上述したようにＲＦＩＤタグ確認指示部４２がファクシミリ装置子機３に、問い合わせ情報６１を送信する。そして、この問い合わせ情報６１に応じて、ファクシミリ装置子機３では、ＲＦＩＤタグ検出指示部５１が、ＲＦＩＤタグリーダ３２を稼動させ、ＲＦＩＤタグ４０の検出を実行させる。
【０１８８】
そして、これにより得られた検出結果をＲＦＩＤタグ検出指示部５１は、ファクシミリ装置親機２に対して、ＲＦＩＤタグ確認情報６２として送信する。なお、このＲＦＩＤタグ確認情報６２には、検知したＲＦＩＤタグ４０に記録されている該ＲＦＩＤタグ４０の所持者を特定する識別情報が含まれている。
【０１８９】
上記通知決定部４３は、ファクシミリ装置子機３から、上記ＲＦＩＤタグ確認情報６２を受信すると、このＲＦＩＤタグ確認情報６２に基づきＲＦＩＤタグ４０を検知したファクシミリ装置子機３を特定する。さらに親機用メモリ１７に記憶された操作者情報２４を参照して、状態検出部４１が検知した状態の変化に対応する実行指示処理について、上記ＲＦＩＤタグ確認情報６２に含まれるユーザ識別情報と、操作者情報２４に含まれるユーザ識別情報とが一致するか否か判断する。
【０１９０】
ここで、上記ユーザ識別情報が一致する場合とは、ファクシミリ装置親機２に処理を指示した人物と、検知したＲＦＩＤタグ４０を所持するユーザとが一致するということである。そこで、通知決定部４３は、操作者情報２４に含まれるユーザ識別情報と一致するユーザ識別情報を含む、ＲＦＩＤタグ確認情報６２を送信したファクシミリ装置子機３に対して、音声データ出力指示情報６３を送信する。
【０１９１】
このように、図１４に示した構成を有するファクシミリ装置１は、ファクシミリ装置親機２を操作したユーザが存在する場所の近傍に配置されたファクシミリ装置子機３を選択して、該ファクシミリ装置子機３から上記状態の変化を通知することができる。
【０１９２】
なお、このファクシミリ装置１では、上記状態が変化した実行指示処理について操作者情報２４に含まれるユーザ識別情報と、上記ＲＦＩＤタグ確認情報６２に含まれるユーザ識別情報とが一致しない場合、通知決定部４３は以下の情報を親機用メモリ１７に記憶する。すなわち、上記状態が変化した実行指示処理について操作者情報２４に含まれるユーザ識別情報と、上記ＲＦＩＤタグ確認情報６２に含まれるユーザ識別情報とが一致しない場合とは、例えば、画像データの送信などデータ処理の実行を指示したユーザと、ファクシミリ装置子機３の近傍に存在するユーザとが異なる場合などである。
【０１９３】
このような場合、通知決定部４３は、操作者情報２４に含まれるユーザ識別情報により特定されるユーザに対して、ファクシミリ装置子機３からの通知が未通知である旨、通知履歴２５として親機用メモリ１７に記憶する。
【０１９４】
なお、通知履歴２５は、図１６に示すように、状態変化が発生した時間（例えば、画像データの受信完了時間等）と、ユーザに対して通知すべき処理と、通知先となるユーザの識別情報と、このユーザに対する通知の有無との対応関係を示す情報である。この図１６は、本実施の形態に係る通知履歴２５の一例を示す図である。
【０１９５】
通知決定部４３は、定期的に通知履歴２５を参照し、状態変化の発生の通知が未通知となっているユーザが、ファクシミリ装置子機３の近傍に存在していないか確認するように構成されている。
【０１９６】
すなわち、通知決定部４３は、定期的に親機無線通信部２１を介してファクシミリ装置子機３に、問い合わせ情報６１を送信する。そして、この問い合わせ情報６１に対する返答としてファクシミリ装置子機３からＲＦＩＤタグ確認情報６２を受信する。そして、通知決定部４３は、この受信したＲＦＩＤタグ確認情報６２と通知履歴２５とを参照して、状態の変化を通知していないユーザ有無についての確認を行う。そして、未通知となっているユーザが存在し、該ユーザがファクシミリ装置子機３の近傍に存在する場合、通知決定部４３は、該ファクシミリ装置子機３に音声データ出力指示情報を送信する。
【０１９７】
以上のように、ファクシミリ装置１では、親機用メモリ１７にさらに通知履歴２５を記憶しているため、この通知履歴２５を参照して、上記状態の変化が未通知のユーザに対して通知を行うことができる。
【０１９８】
なお、上記ファクシミリ装置１は、下記の構成を有するものとして記載することができる。
【０１９９】
本実施の形態に係るファクシミリ装置１は、ファクシミリ通信等のデータ処理を実行するファクシミリ装置親機２と、該ファクシミリ装置親機２と通信可能に接続され、このファクシミリ装置親機２におけるデータ処理状態の変化をユーザに通知する通知情報を出力するための音声出力制御部３３を備えたファクシミリ装置子機３とを有するシステムである。
【０２００】
上記ファクシミリ装置１は、ファクシミリ装置親機２を利用するユーザを識別するための識別情報を記憶し、該ユーザとともに移動するＲＦＩＤタグ４０が、上記ファクシミリ装置子機３の設置位置からの検知範囲５内に存在するか否かを検出するＲＦＩＤタグリーダ３２を備える。また、上記ファクシミリ装置親機２におけるデータ処理に関する状態の変化を検知する状態検出部４１を備える。そして、状態検出部４１によって状態の変化が検知されると、ＲＦＩＤタグリーダ３２によるＲＦＩＤタグ４０の検出結果に応じて、音声出力制御部３３の制御指示によりスピーカ３４により上記通知情報を出力させるか否かを決定する通知決定部４３を備える。
【０２０１】
上記構成によると、ＲＦＩＤタグリーダ３２を備えているため、検知範囲５内にＲＦＩＤタグ４０を所有するユーザが存在するか否か把握することができる。つまり、ファクシミリ装置子機３の近傍にユーザが存在するか否か検出することができる。
【０２０２】
また、状態検出部４１を備えているため、ファクシミリ装置親機２におけるデータの処理状態において、変化が生じたか否かを判定することができる。また、通知決定部４３を備えているため、ＲＦＩＤタグリーダ３２によるＲＦＩＤタグ４０の検出結果に応じて、ファクシミリ装置子機３から通知情報を出力するか否かを決定することができる。
【０２０３】
このため、本実施の形態に係るファクシミリ装置１は、ファクシミリ装置親機２におけるデータ処理に関する状態変化を、このファクシミリ置親機２を利用するユーザの近傍にあるファクシミリ装置子機３から通知させることができる。
【０２０４】
また、上記ファクシミリ装置１は、上記した構成において、状態の変化が検知されたデータ処理の実行を指示したユーザの識別情報と、上記ＲＦＩＤタグリーダ３２によって検出されたＲＦＩＤタグ４０から取得した識別情報とが一致するか否か確認する。そして、上記識別情報が一致しない場合、上記通知決定部４３は、状態の変化が検知されたデータ処理の実行を指示したユーザの識別情報を、通知情報が未通知であるとして、親機用メモリ１７に記憶する。
【０２０５】
上記構成によると、状態が変化したデータ処理の実行を指示したユーザが、状態の変化が検知された時点で、検知範囲５内に存在しなかった場合、ファクシミリ装置子機３からこのユーザに対して通知情報を出力していないことを親機用メモリ１７に記憶しておくことができる。
【０２０６】
また、ファクシミリ装置１は、上記した構成において、ファクシミリ装置親機２での操作時におけるユーザの存在範囲と一致する検知範囲５０内に、ＲＦＩＤタグ４０が存在するか否かを検出し、このＲＦＩＤタグ４０から識別情報を取得する親機用ＲＦＩＤタグリーダ３２を備えている。また、ファクシミリ装置親機３に対してユーザにより入力されたデータ処理の実行指示を受けつける操作部１８と、上記親機用ＲＦＩＤタグリーダ３２によって取得された識別情報と、操作部１８によって受けつけたデータ処理の実行指示により実行したデータ処理と、を対応付けた操作者情報２４を記憶する親機用メモリ１７を備える。また、上記状態検出部４１によってデータの処理状態の変化が検知されると、上記親機用メモリ１７に記憶した操作者情報２４と、上記ＲＦＩＤタグリーダ３２によるＲＦＩＤタグ４０の検出結果とに基づき、状態の変化が検知されたデータ処理の実行を指示したユーザの識別情報と、ＲＦＩＤタグリーダ３２によって検出された識別情報とが一致するか否か確認し、識別情報が一致しない場合、通知決定部４３は、状態の変化が検知されたデータ処理の実行を指示したユーザの識別情報を、上記通知情報が未通知であるものとして親機用メモリ１７に記憶する。上記ＲＦＩＤタグリーダ３２によってＲＦＩＤタグ４０が検出され、識別情報が取得されると、上記通知決定部４３は、ＲＦＩＤタグ４０から取得した識別情報と、親機用メモリ１７において未通知であるとして記憶されている識別情報とが一致するか否か比較する。そして、これらの識別情報が一致する場合、未通知だった通知情報を音声出力制御部３３の制御指示によりスピーカ３４から出力させるように決定する。
【０２０７】
上記構成によると、親機用ＲＦＩＤタグリーダ２３および操作部１８を備えるため、ファクシミリ装置親機２にてデータ処理の実行を指示したユーザを把握することができる。さらにまた、親機用メモリ１７を備えるため、ファクシミリ装置親機２にてデータ処理の実行を指示したユーザを管理しておくことができる。
【０２０８】
また、状態検出部４１によって上記データの処理状態の変化が検知されると、通知決定部４３が、上記親機用メモリ１７に記憶し操作者情報２４と、ＲＦＩＤタグリーダ３２によるＲＦＩＤタグ４０の検出結果とに基づき、上記状態の変化が検知されたデータ処理の実行を指示したユーザの識別情報と、上記ＲＦＩＤタグリーダ３２によって検出されたＲＦＩＤタグ４０を所持するユーザの識別情報とが一致するか否か確認することができる。そして、識別情報が一致しない場合、上記通知決定部４３は、状態の変化が検知されたデータ処理の実行を指示したユーザの識別情報を、通知情報が未通知であるものとして親機用メモリ１７に記憶させることができる。
【０２０９】
そして、上記ＲＦＩＤタグリーダ３２が定期的、あるいは常時稼動し、ＲＦＩＤタグ４０を検出して、識別情報を取得すると、上記通知決定部４３は、上記ＲＦＩＤタグ４０から取得した識別情報と、通知情報が未通知であるとして親機用メモリ１７に記憶されている識別情報とが一致するか否か比較し、これらの識別情報が一致する場合、未通知の通知情報を音声出力制御部３３の制御の下、スピーカ３４より出力するように決定することができる。
【０２１０】
このため、ファクシミリ装置１では、ファクシミリ装置子機３の近傍にユーザが存在せず、データ処理に関する変化の通知がなされていなかった場合であっても、検知範囲５内にユーザが移動してきた時点などで、この通知していなかった通知情報を出力させることができる。したがって、ファクシミリ装置１では、データ処理に関する変化をユーザに確実に通知することができる。
【０２１１】
なお、本実施の形態に係るファクシミリ装置１では、データの受信完了時、データの送信完了時、送信エラーの発生時、あるいは割り込み処理の発生時に、これら状態の変化を、ファクシミリ装置子機３を通じて通知する構成であった。そこで、さらに他の装置から送信されたデータの受信開始時、他の装置へ送信するデータの送信開始時も、上記状態の変化としてファクシミリ装置子機３を通じて通知する構成としてもよい。
【０２１２】
さらには、ファクシミリ装置１が、入力された原稿の画像読み取り機能、読み取った原稿の画像データに基づき、シートに印字する印字処理機能等、データの送受信以外の機能を実行する処理の完了時も上記状態の変化としてファクシミリ装置子機３を通じて通知する構成としてもよい。
また、本実施の形態に係るファクシミリ装置１では、他のファクシミリ装置との間で送受信するデータは画像データであったが、このファクシミリ装置１がメール送信機能を有している場合、このデータはメールの文書データであってもよい。また、ファクシミリ装置１が画像データ以外にも音声データ等を送信する機能を有している場合は、上記データは音声データであってもよい。
【０２１３】
また、本実施の形態に係るファクシミリ装置１では、ファクシミリ装置親機２からファクシミリ装置子機３に対して音声データ出力指示情報６３を送信する。そして、ファクシミリ装置子機３では、この音声データ出力指示情報６３に基づく音声出力指示部５２からの指示により、音声出力制御部３３が音声を生成し、スピーカ３４から出力させる構成であったがこれに限定されるものではない。
【０２１４】
例えば、ファクシミリ装置親機２は、上記状態の変化を通知するファクシミリ装置子機３に対して、音声データ出力指示情報６３の代わりに、出力させる音声のパケットデータそのものを送信する構成であってもよい。このように構成される場合、ファクシミリ装置子機３において音声を生成する必要がないため当該ファクシミリ装置子機３の構成をより簡易な構成とすることができる。
【０２１５】
また、上記状態の変化の通知を音声ではなく、ファクシミリ装置子機３がさらに表示部（不図示）を備え、該表示部に文字情報として表示する構成であってもよい。このように構成される場合、ファクシミリ装置親機２からファクシミリ装置子機３に対して、音声データ出力指示情報６３の代わりに上記表示部に表示させる通知内容を指示する情報を送信する。あるいは、上記表示部に表示させる文字データそのものを送信する構成であってもよい。
【０２１６】
なお、本実施の形態に係るファクシミリ装置１では、上記状態が変化したデータ処理について操作者情報２４に含まれるユーザ識別情報と、上記ＲＦＩＤタグ確認情報６２に含まれるユーザ識別情報とが一致しない場合、通知決定部４３は、操作者情報２４に含まれるユーザ識別情報により特定されるユーザに対して、ファクシミリ装置子機３からの通知が未通知である旨を、通知履歴２５として親機用メモリ１７に記憶する構成であった。しかしながら、これに限定されるものではなく、データ処理の状態が変化した際に、検知範囲５内にＲＦＩＤタグ４０が存在しなかった場合、この変化の通知を実行しないと通知決定部４３が決定し、該通知決定部４３は、メモリ制御部１６に指示して、この状態の変化に対する通知が未通知である旨を親機用メモリ１７に記憶させる構成としてもよい。
【０２１７】
そして、検知範囲５内にＲＦＩＤタグ４０が存在することを検知した際に、この未通知であった通知を行うように通知決定部４３が決定する構成であってもよい。
【０２１８】
最後に、ファクシミリ装置１の各ブロック、特にファクシミリ装置親機２およびファクシミリ装置子機３が備える、状態検出部４１、ＲＦＩＤタグ確認指示部４２、通知決定部４３、操作監視部４４、ＲＦＩＤタグ検出指示部５１、および音声出力指示部５２は、ハードウェアロジックによって構成してもよいし、次のようにＣＰＵを用いてソフトウェアによって実現してもよい。
【０２１９】
すなわち、ファクシミリ装置親機２およびファクシミリ装置子機３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるファクシミリ装置親機２およびファクシミリ装置子機３それぞれの制御プログラムのプログラムコード（実行形式プログラム、中間コードプログラム、ソースプログラム）をコンピュータで読み取り可能に記録した記録媒体を、上記ファクシミリ装置親機２およびファクシミリ装置子機３それぞれに供給する。そして、そのコンピュータ（またはＣＰＵやＭＰＵ）が記録媒体に記録されているプログラムコードを読み出し実行することによっても、達成可能である。
【０２２０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２１】
また、ファクシミリ装置親機２およびファクシミリ装置子機３それぞれを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２３】
本発明に係る通信システムは、データ処理装置親機におけるデータ処理に関する状態の変化を、通知すべきユーザが近傍に存在するデータ処理装置子機を通じて通知できる。このため、データ処理装置親機から離れた場所にて該データ処理装置親機のデータ処理に関する状態を把握する必要がある環境において幅広く適用できる。
【図面の簡単な説明】
【０２２４】
【図１】本発明の実施形態を示すものであり、「データ送受信に関する状態変化の通知処理」に関するファクシミリ装置の要部構成を示すブロック図である。
【図２】本発明の実施形態を示すものであり、ファクシミリ装置の概略構成の一例を説明する図である。
【図３】本発明の実施形態を示すものであり、ファクシミリ装置が備えるハードウェアに関する要部構成を示すブロック図である。
【図４】本発明の実施形態を示すものであり、ファクシミリ装置におけるデータ送受信に関する状態変化の通知処理の一例を示すシーケンス図である。
【図５】本実施の形態に係るＲＦＩＤタグリーダによる、ＲＦＩＤタグの存在の有無を検索する処理の一例を示すシーケンス図である。
【図６】本発明の実施形態を示すものであり、複数のファクシミリ装置子機・・・を備える、ファクシミリ装置の概略構成の一例を説明する図である。
【図７】本発明の実施形態を示すものであり、ファクシミリ装置親機とファクシミリ装置子機３・・・における、情報の送受信の一例を示す図である。
【図８】本実施の形態に係るＲＦＩＤタグ確認情報管理テーブルの一例を示す図である。
【図９】複数のファクシミリ装置子機・・・を備えた、本実施の形態に係るファクシミリ装置において、異なるファクシミリ装置子機の、ＲＦＩＤタグの検知範囲が重畳する場合を説明する図である。
【図１０】本実施の形態に係るファクシミリ装置子機における、ＲＦＩＤタグ検出方法の別の一例を説明するシーケンス図である。
【図１１】本実施の形態に係るファクシミリ装置子機における、ＲＦＩＤタグ検出方法の別の一例を説明するシーケンス図である。
【図１２】本発明の実施形態を示すものであり、「データ送受信に関する状態変化の通知処理」に関するファクシミリ装置の別の要部構成を示すブロック図である。
【図１３】本実施の形態に係るファクシミリ装置における、「データ送受信に関する状態変化の通知処理」の別の一例を説明する図であり、ファクシミリ装置親機とユーザとの配置関係、ならびにファクシミリ装置子機とユーザとの配置関係それぞれを示す。
【図１４】本発明の実施形態を示すものであり、「データ送受信に関する状態変化の通知処理」に関するファクシミリ装置の別の要部構成を示すブロック図である。
【図１５】本発明の実施形態を示すものであり、操作者情報の一例を示す図である。
【図１６】本発明の実施形態を示すものであり、通知履歴の一例を示す図である。
【符号の説明】
【０２２５】
１    ファクシミリ装置（通信システム）
２    ファクシミリ装置親機（データ処理装置親機）
３    ファクシミリ装置子機（データ処理装置子機）
３ａ  ファクシミリ装置子機（データ処理装置子機）
３ｂ  ファクシミリ装置子機（データ処理装置子機）
３ｃ  ファクシミリ装置子機（データ処理装置子機）
５  検知範囲（所定範囲）
１１  網制御部（データ処理部）
１２  モデム（データ処理部）
１３  通信制御部（データ処理部）
１４  読み取り処理部（データ処理部）
１５  記録処理部（データ処理部）
１６  メモリ制御部
１７  親機用メモリ（ユーザ管理情報記憶装置・通知情報履歴記憶装置）
１８  操作部（受付け部）
２２  親機主制御部
２３  親機用ＲＦＩＤタグリーダ（第２移動記憶装置検出部）
２４  操作者情報（ユーザ管理情報）
２５  通知履歴
３２  ＲＦＩＤタグリーダ（第１移動記憶装置検出部）
３３  音声出力制御部（出力手段）
３４  スピーカ（出力手段）
３５  子機用メモリ
３６  子機主制御部
３７  音声データ（通知情報）
４０  ＲＦＩＤタグ（移動記憶装置）
４１  状態検出部（検知手段）
４２  ＲＦＩＤタグ確認指示部（検出指示手段）
４３  通知決定部（決定手段）
４４  操作監視部
５０  検知範囲（操作位置範囲）
５１  ＲＦＩＤタグ検出指示部
５２  音声出力指示部
６１  問い合わせ情報
６２  ＲＦＩＤタグ確認情報
６３  音声データ出力指示情報（出力指示情報）
【図１】
2009111535.tif 000003
【図２】
2009111535.tif 000004
【図３】
2009111535.tif 000005
【図４】
2009111535.tif 000006
【図５】
2009111535.tif 000007
【図６】
2009111535.tif 000008
【図７】
2009111535.tif 000009
【図８】
2009111535.tif 000010
【図９】
2009111535.tif 000011
【図１０】
2009111535.tif 000012
【図１１】
2009111535.tif 000013
【図１２】
2009111535.tif 000014
【図１３】
2009111535.tif 000015
【図１４】
2009111535.tif 000016
【図１５】
2009111535.tif 000017
【図１６】
2009111535.tif 000018